【事件の表示】
　特許第６３５４８６９号発明「シート積層装置およびシート積層方法」の特許異議申立事件について、次のとおり決定する。
【結　論】
　特許第６３５４８６９号の明細書、特許請求の範囲を訂正請求書に添付された訂正特許請求の範囲のとおり、訂正後の請求項〔１〜８〕、９、１０について訂正することを認める。
　特許第６３５４８６９号の請求項１〜３、５、６、８〜１０に係る特許を維持する。
　特許第６３５４８６９号の請求項４、７に係る特許についての特許異議の申立てを却下する。
【理　由】
第１　手続の経緯
　特許第６３５４８６９号の請求項１〜１０に係る特許（以下、「本件特許」という。）についての出願は、２０１３年（平成２５年）３月１３日（優先権主張２０１２年（平成２４年）３月３０日、日本国）を国際出願日とする特願２０１４−５０７３８３号の一部を平成２９年１月１７日に新たな特許出願としたものであって、平成３０年６月２２日にその特許権の設定登録がなされ、同年７月１１日にその特許掲載公報が発行された。
　本件は、その後、その特許について、同年１２月３日に特許異議申立人平賀博（以下、「申立人」という。）により請求項１〜１０に係る特許に対して特許異議の申立てがなされ、平成３１年４月２４日付けで取消理由が通知され、これに対して、令和１年７月５日付けで特許権者より意見書が提出されるとともに訂正請求（以下、「本件訂正請求」という。）がなされたものである。
　なお、申立人に対し、本件訂正請求についての意見を求めたが、申立人から意見書は提出されなかった。
第２　訂正請求について
１　訂正の趣旨、及び、訂正の内容
（１）訂正の趣旨
　本件訂正請求による訂正（以下、「本件訂正」という。）は、特許第６３５４８６９号の特許請求の範囲を、本件訂正請求書に添付した訂正特許請求の範囲のとおり、訂正後の請求項１〜１０について訂正を求めるものであり、その訂正の内容は以下のとおりである。
　なお、当審で訂正箇所に下線を付した。
（２）訂正の内容
ア　訂正事項１
　請求項１について、訂正前の
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、」を
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、」と訂正する。
  
イ　訂正事項２
　請求項２について、訂正前の
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、」を
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、」と訂正する。
ウ　訂正事項３
　請求項３について、訂正前の
「積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、前記シートの周辺の一部を露出した状態で前記シートを保持する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、前記シートの周辺の一部を露出した状態で前記シートを保持する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記待機ポジションに位置する前記第１の搬送ハンドラに保持された前記シートの露出面と前記第１の辺の一部を押圧する面とが対向する第１の上方ポジションと、の間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記待機ポジションに位置する前記第２の搬送ハンドラに保持された前記シートの前記露出面と前記第２の辺の一部を押圧する面とが対向する第２の上方ポジションと、の間を移動可能である第２のクランプ装置と、を有し、
　前記第１の搬送ハンドラおよび前記第２の搬送ハンドラの少なくとも一方は、周辺部に切り欠き部を有し、前記切り欠き部で前記シートを露出した状態で前記シートを保持し、」を
「積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、前記シートの周辺の
上面の
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、前記シートの周辺の
上面の
　
第１の押圧面を備え、
前記第１の押圧面により
前記第１の押圧ポジションの上方であって前記待機ポジションに近接し、
前記第１の押圧面
位置関係となる
移動可能である第１のクランプ装置と、
　
第２の押圧面を備え、
前記第２の押圧面により
前記第２の押圧ポジションの上方であって前記待機ポジションに近接し、
前記第２の押圧面
位置関係となる
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記第１の搬送ハンドラおよび前記第２の搬送ハンドラの少なくとも一方は、周辺部に切り欠き部を有し、前記切り欠き部で前記シートを露出した状態で前記シートを保持し、」と訂正する。
 
エ　訂正事項４
　請求項４を削除する。
オ　訂正事項５
　請求項５について、訂正前の「請求項１から４のいずれか一項に記載のシート積層装置」を「請求項
１〜３
カ　訂正事項６
　請求項６について、訂正前の「請求項１から５のいずれか一項に記載のシート積層装置」を「請求項
１〜３、および５
キ　訂正事項７
　請求項７を削除する。
ク　訂正事項８
　請求項８について、訂正前の「請求項１から７のいずれか一項に記載のシート積層装置」を「請求項
１〜３、５、および６
ケ　訂正事項９
　請求項９について、訂正前の
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションと、の間を移動可能である第２のクランプ装置と、を有するシート積層装置を用いたシート積層体の製造方法であって、
　前記第１のクランプ装置の前記第１の辺の一部を押圧する面と、前記第１の搬送ハンドラが保持する前記シートの露出面とが、前記第１の搬送ハンドラが前記待機ポジションに位置するときに対向し、」を
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションと、の間を移動可能である第２のクランプ装置と、を有するシート積層装置を用いたシート積層体の製造方法であって、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記第１のクランプ装置の前記第１の辺の一部を押圧する面と、前記第１の搬送ハンドラが保持する前記シートの露出面とが、前記第１の搬送ハンドラが前記待機ポジションに位置するときに対向し、」と訂正する。
コ　訂正事項１０
　請求項１０について、訂正前の
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有するシート積層装置を用いたシート積層体の製造方法であって、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならない」を
「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有するシート積層装置を用いたシート積層体の製造方法であって、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならない」と訂正する。
２　当審の判断
（１）訂正の目的、特許請求の範囲の実質上の拡張又は変更の存否、及び、新規事項追加の有無
ア　訂正事項１について
　訂正事項１は、請求項１について、本件の願書に添付された明細書（以下、「本件明細書」という。）の【００３３】、【００４２】、図２、５、６を根拠として、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され」る事項を付加するとともに、本件明細書【００３４】、【００３７】、【００４３】、【００４６】を根拠として、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を付加するものであるから、「特許請求の範囲の減縮」を目的とするものであり、また、実質上特許請求の範囲を拡張し、または変更するものには該当しないし、願書に添付された明細書、特許請求の範囲及び図面（以下、「本件明細書等」という。）に記載された範囲内の訂正である。
イ　訂正事項２について
　訂正事項２は、請求項２について、本件明細書の【００３３】、【００４２】、図２、５、６を根拠として、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され」る事項を付加するとともに、本件明細書【００３４】、【００３７】、【００４３】、【００４６】を根拠として、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を付加するものであるから、「特許請求の範囲の減縮」を目的とするものであり、また、実質上特許請求の範囲を拡張し、または変更するものには該当しないし、本件明細書等に記載された範囲内の訂正である。
ウ　訂正事項３について
　訂正事項３は、請求項３について、次のＡ〜Ｅからなるものである。なお、訂正箇所には、下線を付した。
Ａ　訂正前の「シートの周辺の一部を露出した状態で前記シートを保持する第１の搬送ハンドラ」を「シートの周辺の
上面の
Ｂ　訂正前の「シートの周辺の一部を露出した状態で前記シートを保持する第２の搬送ハンドラ」を「シートの周辺の
上面の
Ｃ　訂正前の「前記ステージ上の前記シート積層体を押圧する第１のクランプ装置であって、前記シート積層体の第１の辺の一部を前記ステージに向けて押圧する第１の押圧ポジションと、前記待機ポジションに位置する前記第１の搬送ハンドラに保持された前記シートの露出面と前記第１の辺の一部を押圧する面とが対向する第１の上方ポジションと、の間を移動可能である第１のクランプ装置」を「
第１の押圧面を備え、
前記第１の押圧面により
前記第１の押圧ポジションの上方であって前記待機ポジションに近接し、
前記第１の押圧面
位置関係となる
Ｄ　訂正前の「前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記待機ポジションに位置する前記第２の搬送ハンドラに保持された前記シートの前記露出面と前記第２の辺の一部を押圧する面とが対向する第２の上方ポジションと、の間を移動可能である第２のクランプ装置」を「
第２の押圧面を備え、
前記第２の押圧面により
前記第２の押圧ポジションの上方であって前記待機ポジションに近接し、
前記第２の押圧面
位置関係となる
Ｅ　「
前記第１の上方ポジションに位置する前記第１のクランプ装置は、前記第２の搬送ハンドラが前記退避ポジションから前記待機ポジションへ移動する進路上に配置され、　前記第２の上方ポジションに位置する前記第２のクランプ装置は、前記第１の搬送ハンドラが前記退避ポジションから前記待機ポジションへ移動する進路上に配置され、　前記第１の搬送ハンドラは、前記第１のクランプ装置の上昇中に、前記退避ポジションから前記待機ポジションに向けて移動し始め、　前記第１のクランプ装置は、前記第１の搬送ハンドラが前記待機ポジションに移動し終わる前に、前記第１の上方ポジションに移動し終わり、　前記第２の搬送ハンドラは、前記第２のクランプ装置の上昇中に、前記退避ポジションから前記待機ポジションに向けて移動し始め、　前記第２のクランプ装置は、前記第２の搬送ハンドラが前記待機ポジションに移動し終わる前に、前記第２の上方ポジションに移動し終わ
　以下、上記Ａ〜Ｅの訂正事項について、訂正の目的、特許請求の範囲の実質上の拡張又は変更の存否、及び、新規事項追加の有無を検討する。
（ア）上記Ａの訂正事項は、本件明細書【００２２】、図１〜３を根拠として、「第１の搬送ハンドラ」が「シートを保持する」際に、「シートの周辺の一部」を「露出」するのが、「シート周辺の上面」であることを特定したものであるから、「特許請求の範囲の減縮」を目的とするものであり、また、実質上特許請求の範囲を拡張し、または変更するものには該当しないし、本件明細書等に記載された範囲内の訂正である。
（イ）上記Ｂの訂正事項は、本件明細書【００２２】、図１〜３を根拠として、「第２の搬送ハンドラ」が「シートを保持する」際に、「シートの周辺の一部」を「露出」するのが、「シート周辺の上面」であることを特定したものであるから、「特許請求の範囲の減縮」を目的とするものであり、また、実質上特許請求の範囲を拡張し、または変更するものには該当しないし、本件明細書等に記載された範囲内の訂正である。
（ウ）上記Ｃの訂正事項は、(a)図２、３、５を根拠として、「シート積層体を押圧する第１のクランプ装置」が「第１の押圧面を備え」ることを特定するとともに、「シート積層体の第１の辺の一部」を「ステージに向けて押圧する」箇所が、「第１の押圧面」であることを特定し、また、(b)本件明細書【００２４】を根拠として、「第１の上方ポジション」が、「第１の押圧ポジションの上方であって前記待機ポジションに近接」する箇所であることを特定し、さらに、(c)本件明細書【００３３】、図２、５を根拠として、「第１の上方ポジション」について、訂正前は、「待機ポジションに位置する前記第１の搬送ハンドラに保持された前記シートの露出面と前記第１の辺の一部を押圧する面とが対向する」箇所としていたものを、「待機ポジションに位置する前記第１の搬送ハンドラに保持された前記シートの露出面と前記第１の押圧面とが対向する位置関係となる」箇所と訂正するものである。
　そうすると、上記(a)及び(b)の訂正事項は、「特許請求の範囲の減縮」を目的とするものであり、また、上記(c)の訂正事項は、「明瞭でない記載の釈明」を目的とするものであり、さらに、上記(a)〜(c)の訂正事項は、実質上特許請求の範囲を拡張し、または変更するものには該当しないし、本件明細書等に記載された範囲内の訂正である。
（エ）上記Ｄの訂正事項は、(a)図２、３、５を根拠として、「シート積層体を押圧する第２のクランプ装置」が「第２の押圧面を備え」ることを特定するとともに、「シート積層体を押圧する第２のクランプ装置」が、「シート積層体の前記第１の辺とは異なる第２の辺の一部」を「ステージに向けて押圧する」箇所が、「第２の押圧面」であることを特定し、また、(b)本件明細書【００２４】を根拠として、「第２の上方ポジション」が、「第２の押圧ポジションの上方であって前記待機ポジションに近接」する箇所であることを特定し、さらに、(c)本件明細書【００４２】、図２、６を根拠として、「第２の上方ポジション」について、訂正前は、「待機ポジションに位置する前記第２の搬送ハンドラに保持された前記シートの前記露出面と前記第２の辺の一部を押圧する面とが対向する」箇所としていたものを、「待機ポジションに位置する前記第２の搬送ハンドラに保持された前記シートの前記露出面と前記第２の押圧面とが対向する位置関係となる」箇所と訂正するものである。
　そうすると、上記(a)及び(b)の訂正事項は、「特許請求の範囲の減縮」を目的とするものであり、また、上記(c)の訂正事項は、「明瞭でない記載の釈明」を目的とするものであり、さらに、上記(a)〜(c)の訂正事項は、実質上特許請求の範囲を拡張し、または変更するものには該当しないし、本件明細書等に記載された範囲内の訂正である。
（オ）上記Ｅの訂正事項は、本件明細書の【００３３】、【００４２】、図２、５、６を根拠として、「前記第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され、　前記第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を付加するものであるから、「特許請求の範囲の減縮」を目的とするものであり、また、実質上特許請求の範囲を拡張し、または変更するものには該当しないし、本件明細書等に記載された範囲内の訂正である。
　上記（ア）〜（オ）での検討から、訂正事項３は、「特許請求の範囲の減縮」及び「明瞭でない記載の釈明」を目的とするものであり、また、実質上特許請求の範囲を拡張し、または変更するものには該当しないし、本件明細書等に記載された範囲内の訂正である。
エ　訂正事項４について
　訂正事項４は、請求項４を削除するものであるから、「特許請求の範囲の減縮」を目的とするものであり、また、実質上特許請求の範囲を拡張し、または変更するものには該当しないし、本件明細書等に記載された範囲内の訂正である。
オ　訂正事項５について
　訂正事項５は、訂正事項４において請求項４を削除することに伴い、本件訂正前の請求項５について、請求項４を引用しないようにするものであるから、「特許請求の範囲の減縮」を目的とするものであり、また、実質上特許請求の範囲を拡張し、または変更するものには該当しないし、本件明細書等に記載された範囲内の訂正である。
カ　訂正事項６について
　訂正事項６は、訂正事項４において請求項４を削除することに伴い、本件訂正前の請求項６について、請求項４を引用しないようにするものであるから、「特許請求の範囲の減縮」を目的とするものであり、また、実質上特許請求の範囲を拡張し、または変更するものには該当しないし、本件明細書等に記載された範囲内の訂正である。
キ　訂正事項７について
　訂正事項７は、請求項７を削除するものであるから、「特許請求の範囲の減縮」を目的とするものであり、また、実質上特許請求の範囲を拡張し、または変更するものには該当しないし、本件明細書等に記載された範囲内の訂正である。
ク　訂正事項８について
　訂正事項８は、訂正事項４において請求項４を削除し、訂正事項７において請求項７を削除することに伴い、本件訂正前の請求項８について、請求項４、７を引用しないようにするものであるから、「特許請求の範囲の減縮」を目的とするものであり、また、実質上特許請求の範囲を拡張し、または変更するものには該当しないし、本件明細書等に記載された範囲内の訂正である。
ケ　訂正事項９について
　訂正事項９は、請求項９について、本件明細書の【００３３】、【００４２】、図２、５、６を根拠として、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され」る事項を付加するとともに、本件明細書【００３４】、【００３７】、【００４３】、【００４６】を根拠として、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を付加するものであるから、「特許請求の範囲の減縮」を目的とするものであり、また、実質上特許請求の範囲を拡張し、または変更するものには該当しないし、本件明細書等に記載された範囲内の訂正である。
コ　訂正事項１０について
　訂正事項１０は、請求項１０について、本件明細書の【００３３】、【００４２】、図２、５、６を根拠として、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され」る事項を付加するとともに、本件明細書【００３４】、【００３７】、【００４３】、【００４６】を根拠として、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を付加するものであるから、「特許請求の範囲の減縮」を目的とするものであり、また、実質上特許請求の範囲を拡張し、または変更するものには該当しないし、本件明細書等に記載された範囲内の訂正である。
　以上によれば、訂正事項１〜１０は、特許法第１２０条の５第２項ただし書第１号及び第３号に規定する、「特許請求の範囲の減縮」及び「明瞭でない記載の釈明」を目的とするものであり、実質上特許請求の範囲を拡張し、または変更するものには該当しないから、同法第１２０条の５第９項で準用する第１２６条第６項に適合するものであり、また、願書に添付した明細書等に記載した範囲内の訂正であるから、同法第１２０条の５第９項で準用する第１２６条第５項に適合するものである。
（２）独立特許要件
　本件は、訂正前の全請求項について特許異議申立がなされているので、訂正事項１〜１０について、特許法第１２０条の５第９項で読み替えて準用する特許法第１２６条第７項は適用されない。
（３）一群の請求項について
　本件訂正前の請求項４〜８は請求項１〜３を引用するものであり、請求項９、１０はいずれも引用関係のない独立請求項であるから、本件訂正前の請求項〔１〜８〕、９、１０はそれぞれ一群の請求項であるところ、本件訂正請求は、そのような一群の請求項ごとにされたものであるから、特許法第１２０条の５第４項の規定に適合する。
　そして、本件訂正は、請求項間の引用関係の解消を目的とするものではなく、特定の請求項に係る訂正事項について別の訂正単位とする求めもないから、本件訂正請求は、訂正後の請求項〔１〜８〕、９、１０を訂正単位とする訂正の請求をするものである。
５　本件訂正請求のむすび
　以上のとおり、令和１年７月５日付けで特許権者が行った本件訂正は、いずれも特許法第１２０条の５第２項ただし書第１号及び第３号を目的とするものであり、同法第１２０条の５第４項の規定に適合し、同法第１２０条の５第９項で準用する第１２６条第５項及び第６項に適合するものであるから、特許請求の範囲の請求項〔１〜８〕、９、１０について、結論のとおり訂正することを認める。
第３　特許異議申立について
１　本件発明
　令和１年７月５日付けで特許権者が行った請求項１〜１０についての訂正は、上記第２で検討したとおり、適法なものであるから、本件特許の特許請求の範囲の請求項１〜１０（以下、これらを請求項の番号に応じて、それぞれ「本件発明１」〜「本件発明１０」という。また、これらをまとめて「本件発明」という。）は、本件訂正請求書に添付された訂正特許請求の範囲の請求項１〜１０に記載された次のとおりのものである。
　なお、本件訂正により、訂正された箇所には下線を付した。
「【請求項１】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、
　前記第１の搬送ハンドラに搬送される前記シートの前記切り欠き部で露出した部分と、前記第１のクランプ装置の前記押圧する部分とが前記ステージの前記シート積層体が積載される面に対する平面視で重なり、
　前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる
シート積層装置。
　
【請求項２】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、
　前記第１の搬送ハンドラが前記退避ポジションから前記待機ポジションへ移動する方向を移動方向と定義したときに、前記第１の搬送ハンドラの前記移動方向の前方方向に位置する少なくとも一つの角に切り欠き部が設けられている
シート積層装置。
　
【請求項３】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、前記シートの周辺の
上面の
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、前記シートの周辺の
上面の
　
第１の押圧面を備え、
前記第１の押圧面により
前記第１の押圧ポジションの上方であって前記待機ポジションに近接し、
前記第１の押圧面
位置関係となる
移動可能である第１のクランプ装置と、
　
第２の押圧面を備え、
前記第２の押圧面により
前記第２の押圧ポジションの上方であって前記待機ポジションに近接し、
前記第２の押圧面
位置関係となる
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記第１の搬送ハンドラおよび前記第２の搬送ハンドラの少なくとも一方は、周辺部に切り欠き部を有し、前記切り欠き部で前記シートを露出した状態で前記シートを保持し、
　前記第１の搬送ハンドラが前記退避ポジションから前記待機ポジションへ移動する方向を移動方向と定義したときに、前記第１の搬送ハンドラの前記移動方向の前方方向に位置する少なくとも一つの角に前記切り欠き部が設けられている
シート積層装置。
　
【請求項４】（削除）
　
【請求項５】
　前記第２のクランプ装置が前記第２の押圧ポジションに位置するときに、前記第１のクランプ装置は、前記第１の押圧ポジションから前記第１の上方ポジションへ移動し、前記第１のクランプ装置が前記第１の押圧ポジションに位置するときに、前記第２のクランプ装置は前記第２の押圧ポジションから前記第２の上方ポジションへ移動する
請求項
１〜３
　
【請求項６】
　前記第１のクランプ装置および前記第２のクランプ装置を複数有し、前記第１のクランプ装置および前記第２のクランプ装置の各々は、少なくとも１箇所で前記シート積層体を押圧する
請求項
１〜３、および５
　
【請求項７】（削除）
　
【請求項８】
　前記第１の搬送ハンドラが下降した後に、前記第１のクランプ装置が下降し、前記第２の搬送ハンドラが下降した後に、前記第２のクランプ装置が下降する
請求項
１〜３、５、および６
　
【請求項９】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、前記シートの周辺の一部を露出した状態で前記シートを保持する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下移動可能であり、前記シートの周辺の一部を露出した状態で前記シートを保持する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションと、の間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションと、の間を移動可能である第２のクランプ装置と、を有するシート積層装置を用いたシート積層体の製造方法であって、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記第１のクランプ装置の前記第１の辺の一部を押圧する面と、前記第１の搬送ハンドラが保持する前記シートの露出面とが、前記第１の搬送ハンドラが前記待機ポジションに位置するときに対向し、
　前記第２のクランプ装置の前記第２の辺の一部を押圧する面と、前記第２の搬送ハンドラが保持する前記シートの露出面とが、前記第２の搬送ハンドラが前記待機ポジションに位置するときに対向する
シート積層体の製造方法。
　
【請求項１０】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下移動可能であり、周辺部に切り欠き部を有する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有するシート積層装置を用いたシート積層体の製造方法であって、
　
前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならない
シート積層体の製造方法。」
２　平成３１年４月２４日付けで通知された取消理由の概要
　なお、刊行物等については、下記３の＜刊行物等＞欄にまとめて記載した。
（１）特許法第２９条第１項第３号及び同条第２項について
ア　本件特許の請求項１〜３、５、８〜１０に係る発明は、本件特許の優先日前日本国内または外国において頒布された下記Ａの刊行物に記載された発明又は電気通信回線を通じて公衆に利用可能となった発明であって、特許法第２９条第１項第３号に該当し、特許を受けることができないから、その発明に係る特許は取り消すべきものである。
　なお、申立理由では、請求項１〜３、５、８については下記Ｃの刊行物を、請求項５については下記Ｄの刊行物を、それぞれ周知技術の根拠としている。
イ　本件特許の請求項１〜３、５、８〜１０に係る発明は、本件特許の優先日前日本国内または外国において頒布された下記Ａの刊行物に記載された発明又は電気通信回線を通じて公衆に利用可能となった発明に基いて、その出願前にその発明の属する技術の分野における通常の知識を有する者（以下、「当業者」という。）が容易に発明をすることができたものであって、特許法第２９条第２項の規定により特許を受けることができないから、その発明に係る特許は取り消すべきものである。
　なお、申立理由では、請求項１〜３、５、８については下記Ｃの刊行物を、請求項５については下記Ｄの刊行物を、それぞれ周知技術の根拠としている。
ウ　本件特許の請求項１〜３、８〜１０に係る発明は、本件特許の優先日前日本国内または外国において頒布された下記Ｂの刊行物に記載された発明又は電気通信回線を通じて公衆に利用可能となった発明であって、特許法第２９条第１項第３号に該当し、特許を受けることができないから、その発明に係る特許は取り消すべきものである。
　なお、申立理由では、請求項１〜３、８について、下記Ｃの刊行物を周知技術の根拠としている。
エ　本件特許の請求項１〜３、６〜１０に係る発明は、本件特許の優先日前日本国内または外国において頒布された下記Ｂの刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　なお、申立理由では、請求項１〜３、６〜８について、下記Ｃの刊行物を周知技術の根拠としている。
（２）特許法第２９条の２について
　本件特許の請求項１〜３、６、９、１０に係る発明は、本件特許の優先日前の特許出願であって、本件特許の優先日後に特許掲載公報の発行若しくは出願公開がされた下記Ｅの特許出願の願書に最初に添付された明細書、特許請求の範囲又は図面に記載された発明と同一であり、しかも、本件特許の出願の発明者が本件特許の優先日前の特許出願に係る上記の発明をした者と同一ではなく、また本件特許の出願の時において、その出願人が上記特許出願の出願人と同一でもなく、特許法第２９条の２の規定により特許を受けることができないから、その発明に係る特許は取り消すべきものである。
　なお、申立理由では、請求項１〜３、６について、下記Ｃの刊行物を周知技術の根拠としている。
（３）特許法第３６条第６項第１号について
　本件特許の請求項１〜１０に係る発明は、上方ポジションに移動したクランプ装置が、搬送ハンドラの待避ポジションから待機ポジションへの移動の進路上に位置し、かつ、搬送ハンドラが待避ポジションから待機ポジションに到達するまでに、クランプ装置は既に上方ポジションに移動し終えた状態にあることが特定されていないため、発明の詳細な説明に記載されたものとはいえないから、本件特許は、その特許請求の範囲の記載が、特許法第３６条第６項第１号に規定する要件を満たしておらず、取り消されるべきものである。
（４）特許法第３６条第６項第２号について
ア　請求項４の「第１の搬送ハンドラが前記待機ポジションに移動し終わる前に、前記第１のクランプ装置が前記第１の上方ポジションに移動し終わり、前記第２の搬送ハンドラが前記待機ポジションに移動し終わる前に、前記第２のクランプ装置が前記第２の上方ポジションに移動し終わる」との記載は明確でないから、本件特許は、その特許請求の範囲の記載が、特許法第３６条第６項第２号に規定する要件を満たしておらず、取り消されるべきものである。
イ　請求項７の「第１の搬送ハンドラの下降と前記第１のクランプ装置の下降とを同時に行い、前記第２の搬送ハンドラの下降と前記第２のクランプ装置の下降とを同時に行う」との記載は明確でないから、本件特許は、その特許請求の範囲の記載が、特許法第３６条第６項第２号に規定する要件を満たしておらず、取り消されるべきものである。
ウ　請求項７記載の事項と請求項８記載の事項とは、互いに両立し得ない事項であるから、本件特許は、その特許請求の範囲の記載が、特許法第３６条第６項第２号に規定する要件を満たしておらず、取り消されるべきものである。
エ　請求項３の「待機ポジションに位置する前記第１の搬送ハンドラに保持された前記シートの露出面と前記第１の辺の一部を押圧する面とが対向する第１の上方ポジション」との記載、及び、「待機ポジションに位置する前記第２の搬送ハンドラに保持された前記シートの前記露出面と前記第２の辺の一部を押圧する面とが対向する第２の上方ポジション」との記載は明確でないから、本件特許は、その特許請求の範囲の記載が、特許法第３６条第６項第２号に規定する要件を満たしておらず、取り消されるべきものである。
３　上記２以外の特許異議申立理由
（１）特許法第２９条第１項第３号及び同条第２項について
ア　本件特許の請求項４、６、７に係る発明は、本件特許の優先日前日本国内または外国において頒布された下記Ａの刊行物に記載された発明又は電気通信回線を通じて公衆に利用可能となった発明であって、特許法第２９条第１項第３号に該当し、特許を受けることができないから、その発明に係る特許は取り消すべきものである。
　なお、請求項４、６、７について、下記Ｃの刊行物を周知技術の根拠としている。
イ　本件特許の請求項４、６、７に係る発明は、本件特許の優先日前日本国内または外国において頒布された下記Ａの刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　なお、請求項４、６、７について、下記Ｃの刊行物を周知技術の根拠としている。
ウ　本件特許の請求項４〜７に係る発明は、本件特許の優先日前日本国内または外国において頒布された下記Ｂの刊行物に記載された発明又は電気通信回線を通じて公衆に利用可能となった発明であって、特許法第２９条第１項第３号に該当し、特許を受けることができないから、その発明に係る特許は取り消すべきものである。
　なお、請求項４〜７については下記Ｃの刊行物を、請求項５については下記Ｄの刊行物を、それぞれ周知技術の根拠としている。
エ　本件特許の請求項４、５に係る発明は、本件特許の優先日前日本国内または外国において頒布された下記Ｂの刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　なお、請求項４、５については下記Ｃの刊行物を、請求項５については下記Ｄの刊行物を、それぞれ周知技術の根拠としている。
（２）特許法第２９条の２について
ア　本件特許の請求項４、５、７、８に係る発明は、本件特許の優先日前の特許出願であって、本件特許の優先日後に特許掲載公報の発行若しくは出願公開がされた下記Ｅの特許出願の願書に最初に添付された明細書、特許請求の範囲又は図面に記載された発明と同一であり、しかも、本件特許の出願の発明者が本件特許の優先日前の特許出願に係る上記の発明をした者と同一ではなく、また本件特許の出願の時において、その出願人が上記特許出願の出願人と同一でもなく、特許法第２９条の２の規定により特許を受けることができないから、その発明に係る特許は取り消すべきものである。
　なお、請求項４、７、８については下記Ｃの刊行物を、請求項５については下記Ｄの刊行物を、それぞれ周知技術の根拠としている。
イ　本件特許の請求項１〜１０に係る発明は、本件特許の優先日前の特許出願であって、本件特許の優先日後に特許掲載公報の発行若しくは出願公開がされた下記Ｆの特許出願の願書に最初に添付された明細書、特許請求の範囲又は図面に記載された発明と同一であり、しかも、本件特許の出願の発明者が本件特許の優先日前の特許出願に係る上記の発明をした者と同一ではなく、また本件特許の出願の時において、その出願人が上記特許出願の出願人と同一でもなく、特許法第２９条の２の規定により特許を受けることができないから、その発明に係る特許は取り消すべきものである。
　なお、請求項１〜８については下記Ｃの刊行物を、請求項５については下記Ｄの刊行物を、それぞれ周知技術の根拠としている。
（３）特許法第３６条第６項第２号について
　請求項１〜３、９、１０に記載された「ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラ」の「前記待機ポジション」は、何を指しているのか不明であるから、本件特許は、その特許請求の範囲の記載が、特許法第３６条第６項第２号に規定する要件を満たしておらず、取り消されるべきものである。
＜刊行物等＞
Ａ　特開２００９−２０６０４６号公報（異議申立人が提出した甲第１号証。以下、「甲１」という。） 
Ｂ　特開２００９−９９１９号公報（異議申立人が提出した甲第２号証。以下、「甲２」という。）
Ｃ　特開２０１０−１１４６号公報（異議申立人が提出した甲第３号証。以下、「甲３」という。）
Ｄ　特開２００９−３２５４４号公報（異議申立人が提出した甲第４号証。以下、「甲４」という。）
Ｅ　特願２０１２−６７８４８号（特開２０１２−２２７１３０号公報（異議申立人が提出した甲第５号証。）参照。以下、当該出願の願書に最初に添付された明細書、特許請求の範囲及び図面をまとめて「甲５」という。）
Ｆ　特願２０１１−１３３１２４号（特開２０１３−１４８９号公報（異議申立人が提出した甲第６号証。）参照。以下、当該出願の願書に最初に添付された明細書、特許請求の範囲及び図面をまとめて「甲６」という。）
４　本件明細書の記載
　本件明細書には、次の記載がある。
「【発明が解決しようとする課題】
【０００５】
　シート積層体を構成する各々のシートは、シートを保持可能な搬送ハンドラによってステージ上へ搬送される。特許文献１では、シートをステージ上に搬送する搬送ハンドラについては明記されていない。しかしながら、本願発明者は、シート積層体の対角の位置にあるクランプ装置で同時にシート積層体を保持する方法では、以下のような課題が生じ得ることを発見した。以下、その課題について説明する。
【０００６】
　シート積層体上に第１のシートを積層する際、対角に位置する一対のクランプ装置はシート積層体を保持している。一方で、別の一対のクランプ装置は、シート積層体の上に新たに置かれる別のシートを保持するため、ステージに対して上昇する。ここで、搬送ハンドラが第１のシートをステージの上方へ搬送する前に一対のクランプ装置が上昇すると、搬送ハンドラの移動が妨げられるという問題が生じ得る。そのため、通常、一対のクランプ装置は、搬送ハンドラがステージの上方へシートを搬送し終えた後に上昇すると考えられる。このクランプ装置の上昇後に、搬送ハンドラがステージに向かって下降し、ステージ上のシート積層体の上にシートを積層する。
【０００７】
　このように、搬送ハンドラがステージの上方に到着してからシートを積層体の上に置くまでの間には、クランプ装置を上昇させる時間に相当する時間的ギャップがある。この時間的ギャップにより、シートを積層するサイクルタイムが増大する。
【０００８】
　本発明の目的は上記背景技術の課題に鑑み、シートを積層するサイクルタイムを低減できるシート積層装置およびシート積層方法を提供することである。」
「【００３７】
　次に、図５（Ｅ）に示すように、第１の搬送ハンドラ４をステージ１０に向けて下降させ、シート積層体１２の上に、第１のシート１および層間シート３を積層する。本実施形態の方法では、第１の搬送ハンドラ４が待機ポジションに到達するまでに、第１のクランプ装置８は既に第１の上方ポジションに移動し終えた状態にある。そのため、第１の搬送ハンドラ４は、待機ポジションに到達後速やかに下降動作を開始することができる。これにより、シート積層方法のサイクルタイムを低減することができる。
【００３８】
　第１の搬送ハンドラ４の下降にともない、第１のクランプ装置８をステージ１０に向けて下降させ、第１の搬送ハンドラ４からはみ出している第１のシート１の周辺部をステージ１０へ向けて押圧する（図５（Ｆ）参照）。これにより、第１のクランプ装置８は、第１のシート１および層間シート３とともにシート積層体１２を保持する。なお、第２のクランプ装置９は、シート積層体１２と第１のシート１との間に挟まれた状態になる。」
「【００４６】
　次に、図６（Ｅ）に示すように、第２のシート２および層間シート３を保持した第２の搬送ハンドラ１１をステージ１０に向けて下降させ、シート積層体１２の上に第２のシート２および層間シート３を積層する。本実施形態の方法では、第２の搬送ハンドラ１１が待機ポジションに到達するまでに、第２のクランプ装置９は既に第２の上方ポジションに移動し終えた状態にある。そのため、第２の搬送ハンドラ１１は、待機ポジションに到達後速やかに下降動作を開始することができる。これにより、シート積層方法のサイクルタイムを低減することができる。
【００４７】
　第２の搬送ハンドラ１１の下降にともない、第２のクランプ装置９をステージ１０に向けて下降させ、第２の搬送ハンドラ１１からはみ出している第２のシート２の周辺部をステージ１０へ向けて押圧する（図６（Ｆ）参照）。これにより、第２のクランプ装置９は、シート積層体１２および第２のシート２を保持する。なお、第１のクランプ装置８は、シート積層体１２と第２のシート２との間に挟まれた状態になる。」
「【００５３】
　次に、対角に位置する２つのクランプ装置を同時に駆動する比較例におけるシート積層方法について説明する。対角に位置する２つのクランプ装置８、９を同時に上昇させると、搬送ハンドラ４、１１の待機ポジションを挟んで両側にクランプ装置８、９が位置することになる。したがって、一方のクランプ装置８または９が搬送ハンドラ４、１１の進路上に位置するため、搬送ハンドラ４、１１の移動を妨げることになる。そのため、図５（Ｄ）および図６（Ｄ）に示されるような待機ポジションまで搬送ハンドラ４、１１を移動させた後に、対角に位置するクランプ装置８、９を上昇させる必要がある。その結果、搬送ハンドラ４、１１が待機ポジションに到着した後、クランプ装置８、９の上昇移動が終了するまでの間、搬送ハンドラ４、１１は下降動作をすることができない。この時間的ギャップにより、図５および図６に示すシート積層方法よりもサイクルタイムが長くなってしまう。また、シート積層体またはシートの対角にある２つの箇所を同時に押さえるため、シートを回転させる力（モーメント）が発生することがあるという課題もある。」
５　引用する各甲号証の記載
（１）甲１の記載
　甲１には、次の記載がある。なお、下線は当審で付した。
「【発明が解決しようとする課題】
【０００４】
　しかしながら、上述の特許文献１に記載の装置では、正極および負極は、積層テーブルの同一回転位置にて積層されており、正極および負極の供給経路が混在し、電池内への異物混入の可能性が発生する。また、積層テーブルを回転させる駆動源の他に、クランパを駆動するためのアクチュエータが必要である。
【０００５】
　そこで本発明は、電池内への異物混入の可能性を極力抑制し、かつクランパを駆動するための他の動力源を必要としないシート積層装置およびシート積層方法を提供することを目的とする。」
「【００１３】
　本実施形態に係る
シート積層装置１０は、
セパレータ供給部２０と、正極供給部３０と、負極供給部４０と、電極積層部５０とを有している
「【００１７】
　
電極積層部５０は、パレット６０を搬送する搬送装置７０と、パレット６０の搬送方向と交差する方向へパレット６０を往復移動させる往復移動装置８０と、正極積層ロボット５１と、負極積層ロボット５２とを有して
「【００２０】
　
正極，負極積層ロボット５１，５２の各々は、それぞれ２つのワーク（セパレータ２、正極４または負極６）を同時に吸引して保持する吸引ハンド５３を備えて
【００２１】
　
往復移動装置８０は、搬送方向に２つ並んで設けられており、それぞれ個別に往復移動可能となって
それぞれの往復移動装置８０上に保持されるパレット６０に、それぞれに対応する正極，負極積層ロボット５１，５２によって並行して電極４，６を積層
【００２２】
　
各々のパレット６０には、
第１，第２載置領域Ａ１，Ａ２（載置面）が提供
【００２３】
　パレット６０の対角の端部には、搬送装置７０に設けられる搬送ピン７１が挿通する搬送用位置決め穴部６２が２つ形成される。また、パレット６０には、往復移動装置８０に設けられる往復移動ピン８３が挿通する２つの往復移動用位置決め穴部６３が形成される。
【００２４】
　
第１，第２載置領域Ａ１，Ａ２の周囲には、載置されるワークを把持するクランパ６４が設けられ
クランパ６４は、第１載置領域Ａ１のワークの一側辺を把持する第１，第２クランパ６４Ａ，６４Ｂと、第１，第２載置領域Ａ１，Ａ２の間に設けられて、第１，第２載置領域Ａ１，Ａ２の両方のワークの一側辺を把持する第３，第４クランパ６４Ｃ，６４Ｄと、第２載置領域Ａ２のワークの一側辺を把持する第５，第６クランパ６４Ｅ，６４Ｆとを備え
「【００３７】
　
電極４，６を積層するには、まず、
【００３８】
　往復移動装置８０の上方にパレット６０を搬送した後、搬送装置７０の保持面７２を下降させて、パレット６０を往復移動装置８０のパレット保持部８２に移動させる。これにより、パレット６０の搬送用位置決め穴部６２から保持面７２の搬送ピン７１が引き抜かれ、往復移動用位置決め穴部６３にパレット保持部８２の往復移動ピン８３が挿通して、パレット６０がパレット保持部８２に保持される。このとき、第１〜第６クランパ６４Ａ〜６４Ｆの接触部６７Ｘがカム面８５に接するが、第１〜第６直線カム８６Ａ〜８６Ｆとは接しておらず、全てのクランパ６４が閉状態となっている。ここで閉状態とは、クランパ６４が下がって載置領域Ａ１，Ａ２の縁部を把持する状態を意味し（図６（Ａ）参照）、開状態とは、クランパ６４が上がりつつ回転して載置領域Ａ１，Ａ２の縁部から離れた状態を意味する（図６（Ｃ）参照）。
【００３９】
　この後、図１２，１３に示すように、一軸シリンダ８４を駆動してパレット保持部８２を往復移動させ、一方側（例えば正極側）へ移動させる。これにより、第１，４，５クランパ６４Ａ，６４Ｄ，６４Ｅの接触部６７Ｘが、第１，４，５直線カム８６Ａ，８６Ｄ，８６Ｅと接触し、
第１，４，５クランパ６４Ａ，６４Ｄ，６４Ｅが上昇しつつ回転して、開動作（クランプ動作）を行い開状態とな
【００４０】
　この後、正極積層ロボット５１の吸引ハンド５３をセパレータ供給部２０に移動させ、吸引ハンド５３で２つのセパレータ２を同時に吸引保持し、吸引ハンド５３を正極マガジン３４に移動させる（図２参照）。セパレータ２は通気性を有するため、セパレータ２を吸引保持した吸引ハンド５３により、さらに正極４を重ねて吸引保持できる。
【００４１】
　この後、図１４に示すように、
吸引ハンド５３をパレット６０に移動させ、吸引ハンド５３により保持した２組のセパレータ２および正極４を、正極４を下にして第１，第２載置領域Ａ１，Ａ２に載置
このとき、第２，３，６クランパ６４Ｂ，６４Ｃ，６４Ｆは閉状態であるため、第２，３，６クランパ６４Ｂ，６４Ｃ，６４Ｆの上に正極４が接するが、第１，４，５クランパ６４Ａ，６４Ｄ，６４Ｅは開状態であることから、第１，４，５クランパ６４Ａ，６４Ｄ，６４Ｅは正極４と接
【００４２】
　
次に、
第１，４，５クランパ６４Ａ，６４Ｄ，６４Ｅが下降して、閉動作（アンクランプ動作）を行い閉状態となる。これにより、第１，第２載置領域Ａ１，Ａ２に載置されたセパレータ２および正極４が、対角の縁部で把持され
【００４３】
　次に、図１７に示すように、セパレータ２および正極４を把持したパレット保持部８２を往復移動させて、負極側へ移動させる。このとき、セパレータ２および正極４が第１，４，５クランパ６４Ａ，６４Ｄ，６４Ｅにより対角の縁部で把持されているため、良好に保持される。
【００４４】
　この後、図１８，１９に示すように、パレット保持部８２が他方側（例えば負極側）へ移動する。これにより、第２，３，６クランパ６４Ｂ，６４Ｃ，６４Ｆの接触部６７Ｘが、第２，３，６直線カム８６Ｂ，８６Ｃ，８６Ｆと接触し、第２，３，６クランパ６４Ｂ，６４Ｃ，６４Ｆが上昇しつつ回転して、開動作（クランプ動作）を行い開状態となる。
【００４５】
　この後、負極積層ロボット５２の吸引ハンド５３をセパレータ供給部２０に移動させ、吸引ハンド５３で２つのセパレータ２を同時に吸引保持し、吸引ハンド５３を負極マガジン４４に移動させる（図２参照）。セパレータ２は通気性を有するため、セパレータ２を吸引保持した吸引ハンド５３により、さらに正極４を重ねて吸引保持できる。
【００４６】
　
この後、
吸引ハンド５３をパレット６０に移動させ、吸引ハンド５３により保持した２組のセパレータ２および負極６を、負極６を下にして第１，第２載置領域Ａ１，Ａ２に載置
このとき、第１，４，５クランパ６４Ａ，６４Ｄ，６４Ｅは閉状態であるため、第１，４，５クランパ６４Ａ，６４Ｄ，６４Ｅの上に負極６が接するが、第２，３，６クランパ６４Ｂ，６４Ｃ，６４Ｆは開状態であることから、第２，３，６クランパ６４Ｂ，６４Ｃ，６４Ｆは負極６と接
【００４７】
　
次に、
第２，３，６クランパ６４Ｂ，６４Ｃ，６４Ｆが下降して、閉動作（アンクランプ動作）を行い閉状態となる。これにより、第１，第２載置領域Ａ１，Ａ２に載置されたセパレータ２および負極６が、対角の縁部で把持され
「【図２】
　　　　　　　　　　　　　　　　　　　　　　　　　　　
【図３】
【図４】
　　　　　　　　　　　　　　　　　　　　　　　　　」
「【図１０】
【図１１】
【図１２】
【図１３】
【図１４】
【図１５】
【図１６】
【図１７】
【図１８】
【図１９】
【図２０】
【図２１】
【図２２】
　　　　　　　　　　　　　　　　　　　　　　　　　」
（２）甲１発明
ア　甲１の「正極，負極積層ロボット５１，５２の吸引ハンド５３」は、「保持した２組のセパレータ２および正極４を、正極４を下にして第１，第２載置領域Ａ１，Ａ２に載置」（【００４１】）し、「保持した２組のセパレータ２および負極６を、負極６を下にして第１，第２載置領域Ａ１，Ａ２に載置する」（【００４６】）ものであるところ、「保持した２組のセパレータ２および正極４」や「保持した２組のセパレータ２および負極６」を「第１，第２載置領域Ａ１，Ａ２に載置」する際には、「第１，第２載置領域Ａ１，Ａ２」の上方から載置することは自明であるし、該上方は鉛直上方向であると考えることが最も合理的である。 
　そうすると、甲１の「正極，負極積層ロボット５１，５２の吸引ハンド５３」は、「第１，第２載置領域Ａ１，Ａ２」の鉛直上方向に位置する待機ポジションと該待機ポジションから待避した待避ポジションの間を移動可能、かつ、「第１，第２載置領域Ａ１，Ａ２」に対して上下に移動可能であるといえる。 
イ　甲１の図２から、「正極，負極積層ロボット５１，５２の吸引ハンド５３」が「２組のセパレータ２および正極４」または「２組のセパレータ２および負極６」を保持したとき、「正極，負極積層ロボット５１，５２の吸引ハンド５３」から「２組のセパレータ２および正極４」または「２組のセパレータ２および負極６」が露出する部位が存在することが看取できる。 
ウ　甲１の図２から、「正極，負極積層ロボット５１，５２の吸引ハンド５３」が保持する「２組のセパレータ２および正極４」または「２組のセパレータ２および負極６」は、矩形であり、その全ての角が露出していることが看取できる。 
　そうすると、「正極，負極積層ロボット５１，５２の吸引ハンド５３」が、待避ポジションから待機ポジションへとどのように移動したとしても、甲１の「正極，負極積層ロボット５１，５２の吸引ハンド５３」には、待避ポジションから待機ポジションへと移動する方向の前方方向に位置する角に、「正極，負極積層ロボット５１，５２の吸引ハンド５３」から「２組のセパレータ２および正極４」または「２組のセパレータ２および負極６」が露出する部位が存在するといえる。 
エ　甲１の図３、図４から、「第１クランパ６４Ａ」及び「第３クランパ６４Ｃ」は、第２載置領域Ａ２のそれぞれ互いに対向する別々の辺に設けられていることが看取できる。 
オ　甲１の図２から、電極積層部５０のパレット６０に正極，負極積層ロボット５１，５２の吸引ハンド５３がある時に、該吸引ハンド５３は第１〜６クランパ６４Ａ〜６４Ｆと平面視で重なっていないことが看取できる。 
カ　甲１の【００１３】、【００１７】、【００２０】〜【００２２】、【００２４】、【００３７】、【００３９】、【００４１】、【００４２】、【００４６】、【００４７】、及び、上記ア〜オからすると、甲１には、次の発明（以下、「甲１発明」という。）が記載されていると認められる。 
「セパレータ供給部２０と、正極供給部３０と、負極供給部４０と、電極積層部５０とを有しているシート積層装置１０であって、 
　電極積層部５０は、パレット６０を搬送する搬送装置７０と、パレット６０の搬送方向と交差する方向へパレット６０を往復移動させる往復移動装置８０と、正極積層ロボット５１と、負極積層ロボット５２とを有しており、
　正極，負極積層ロボット５１，５２の各々は、それぞれ２つのワーク（セパレータ２、正極４または負極６）を同時に吸引して保持する吸引ハンド５３を備えており、 
　往復移動装置８０は、搬送方向に２つ並んで設けられており、それぞれ個別に往復移動可能となっており、それぞれの往復移動装置８０上に保持されるパレット６０に、それぞれに対応する正極，負極積層ロボット５１，５２によって並行して電極４，６を積層し、 
　パレット６０の第１，第２載置領域Ａ１，Ａ２の周囲には、載置されるワークを把持するクランパ６４が設けられ、クランパ６４は、第１載置領域Ａ１のワークの一側辺を把持する第１，第２クランパ６４Ａ，６４Ｂと、第１，第２載置領域Ａ１，Ａ２の間に設けられて、第１，第２載置領域Ａ１，Ａ２の両方のワークの一側辺を把持する第３，第４クランパ６４Ｃ，６４Ｄと、第２載置領域Ａ２のワークの一側辺を把持する第５，第６クランパ６４Ｅ，６４Ｆとを備え、 
　電極４，６を積層するには、まず、第１，４，５クランパ６４Ａ，６４Ｄ，６４Ｅが上昇しつつ回転して、開動作（クランプ動作）を行い開状態となり、 
　吸引ハンド５３をパレット６０に移動させ、吸引ハンド５３により保持した２組のセパレータ２および正極４を、正極４を下にして第１，第２載置領域Ａ１，Ａ２に載置し、このとき、第２，３，６クランパ６４Ｂ，６４Ｃ，６４Ｆは閉状態であるため、第２，３，６クランパ６４Ｂ，６４Ｃ，６４Ｆの上に正極４が接するが、第１，４，５クランパ６４Ａ，６４Ｄ，６４Ｅは開状態であることから、第１，４，５クランパ６４Ａ，６４Ｄ，６４Ｅは正極４と接せず、 
　次に、第１，４，５クランパ６４Ａ，６４Ｄ，６４Ｅが下降して、閉動作（アンクランプ動作）を行い閉状態となり、これにより、第１，第２載置領域Ａ１，Ａ２に載置されたセパレータ２および正極４が、対角の縁部で把持され、 
　この後、第２，３，６クランパ６４Ｂ，６４Ｃ，６４Ｆが上昇しつつ回転して、開動作（クランプ動作）を行い開状態となり、 
　この後、吸引ハンド５３をパレット６０に移動させ、吸引ハンド５３により保持した２組のセパレータ２および負極６を、負極６を下にして第１，第２載置領域Ａ１，Ａ２に載置し、このとき、第１，４，５クランパ６４Ａ，６４Ｄ，６４Ｅは閉状態であるため、第１，４，５クランパ６４Ａ，６４Ｄ，６４Ｅの上に負極６が接するが、第２，３，６クランパ６４Ｂ，６４Ｃ，６４Ｆは開状態であることから、第２，３，６クランパ６４Ｂ，６４Ｃ，６４Ｆは負極６と接せず、 
　次に、第２，３，６クランパ６４Ｂ，６４Ｃ，６４Ｆが下降して、閉動作（アンクランプ動作）を行い閉状態となり、これにより、第１，第２載置領域Ａ１，Ａ２に載置されたセパレータ２および負極６が、対角の縁部で把持され、 
　正極，負極積層ロボット５１，５２の吸引ハンド５３は、第１，第２載置領域Ａ１，Ａ２の鉛直上方向に位置する待機ポジションと該待機ポジションから待避した待避ポジションの間を移動可能、かつ、第１，第２載置領域Ａ１，Ａ２に対して上下に移動可能であり、 
　正極，負極積層ロボット５１，５２の吸引ハンド５３が、２組のセパレータ２および正極４、または、２組のセパレータ２および負極６を保持したとき、正極，負極積層ロボット５１，５２の吸引ハンド５３から、２組のセパレータ２および正極４、または、２組のセパレータ２および負極６が露出する部位が存在し、 
　正極，負極積層ロボット５１，５２の吸引ハンド５３が待避ポジションから待機ポジションへと移動する方向の前方方向に位置する角に、正極，負極積層ロボット５１，５２の吸引ハンド５３から、２組のセパレータ２および正極４、または、２組のセパレータ２および負極６が露出する前記部位が存在し、 
　第１クランパ６４Ａ及び第３クランパ６４Ｃは、第２載置領域Ａ２のそれぞれ互いに対向する別々の辺に設けられており、 
　電極積層部５０のパレット６０に正極，負極積層ロボット５１，５２の吸引ハンド５３があるとき、該吸引ハンド５３は第１〜６クランパ６４Ａ〜６４Ｆと平面視で重ならない、 
シート積層装置１０。」 
キ　また、同様に、甲１の【００１３】、【００１７】、【００２０】、【００２１】、【００２４】、【００３７】、【００３９】、【００４１】、【００４２】、【００４６】、【００４７】、及び、上記ア〜オからすると、甲１には、次の発明（以下、「甲１方法発明」という。）が記載されていると認められる。 
「甲１発明のシート積層装置１０を用いたシート積層体の製造方法。」 
（３）甲２の記載
　甲２には、次の記載がある。なお、下線は当審で付した。
「【発明が解決しようとする課題】
【０００６】
　特許文献１の装置では、セパレータの引き出された長さ分だけ正極板と負極板が折り重ねられる構成となっている。大容量のリチウム２次電池のように、セパレータに折り重ねられる正極板と負極板の枚数が増えると、このような装置では対応できなくなっている。
【０００７】
　また、正極板と負極板はセパレータに対して固定されていないので搬送時等に積層した位置からずれてしまう問題もある。電極の位置ズレは、短絡事故により短時間に大電流が電極間に流れ爆発、発火事故などが発生する危険性がある。
【０００８】
　本発明は、大容量のリチウム２次電池の製造に対応でき、従来の製造装置よりも生産性が向上したリチウム２次電池の製造方法と製造装置を提供することを目的としている。」
「【００２１】
  ＜実施の形態１＞
　次に本発明のリチウム２次電池製造装置（以後、２次電池製造装置と称する）の実施の形態１を図面を参照して説明する。図１は２次電池製造装置の各要部の配置を示す概略斜視図である。まず、図１に基づいて本発明の２次電池製造装置の概略構成を説明する。なお、２次電池製造装置で用いる正極板および負極板の連続セパレータＳを図面の説明上、上セパレータ１００と下セパレータ１０１に区別して記載する。また、電極板ＰＮを正極板１０８と負極板１０９に区別して記載する。上セパレータ１００は、正極板１０８および負極板１０９に対して上側に配置される連続セパレータＳを示し、下セパレータ１０１は、下側に配置される連続セパレータＳを示す。連続セパレータＳの表面には、接着剤が塗布されており、加熱により接着剤が溶融し連続セパレータＳ同士が接着されるようになっている。
【００２２】
　
２次電池製造装置は、上セパレータ１００が送り出される上セパレータ巻出部１０２と、下セパレータ１０１が送り出される下セパレータ巻出部１０３と、
枚葉状の正極板１０８および負極板１０９と、正極板１０８および負極板１０９を搬送コンベア１１０上の下セパレータ１０１に載置する移載ハンド１１２と、載置された正極板１０８と負極板１０９を搬送する搬送コンベア１１０とを備えている
【００２３】
　正極板１０８と負極板１０９は、ロール状の正極材１０６および負極材１０７から引き出された電極板を、図示していない打ち抜き装置により所定の大きさに切断して形成される。なお、正極板１０８および負極板１０９にはタブ１１１が形成されるように所定の大きさに切断される。切断された正極板１０８および負極板１０９は移載ハンド１１２の近傍に供給される。
【００２４】
　
移載ハンド１１２はＺ軸回りに回転させる支持部１１３と、この支持部１１３に支持されたアーム１１４と、アーム１１４の先端側に取り付けられた正極板１０８および負極板１０９を吸着する吸着部１１５とを備え
正極板１０８用、負極板１０９用各々専用に設置された移載ハンド１１２は、吸着部１１５で正極板１０８と負極板１０９を同時に吸着して下セパレータ１０１に正極板１０８と負極板１０９が隣り合うように配置
【００２５】
　下セパレータ１０１は、ロール状の下セパレータ巻出部１０３より送り出され搬送コンベア１１０上を通り、ニップロール１０４を経由してセパレータ同士の貼り合わせが行われた後、積層部１０５に積層される。
搬送コンベア１１０上において、正極板１０８および負極板１０９が所定位置に配置されると、搬送コンベア１１０の端部に備えられているサポート部材１１６が待機位置から９０度旋回し、正極板１０８および負極板１０９を押さえ、搬送中の位置ズレの防止を行
サポート部材１１６の待機位置側は、搬送コンベア１１０の進行方向と平行で正極板１０８と負極板１０９の配置される位置に干渉しない位置
サポート部材１１６は、個々の正極板１０８および負極板１０９を搬送コンベア１１０の進行方向に対して左右に少なくとも２カ所で支えることができるように、搬送コンベア１１０の端部に複数個が備えられて
「【図１】
　　　　　　　　　　　　　　　　　　　　　　　　」
「【図３】
　　　　　　　　　　　　　　　　　　　　　　　　」
（４）甲２発明
ア　甲２の「移載ハンド１１２」は、「吸着部１１５で正極板１０８と負極板１０９を同時に吸着して下セパレータ１０１に正極板１０８と負極板１０９が隣り合うように配置」（【００２４】）するものであるところ、「正極板１０８」や「負極板１０９」を「搬送コンベア１１０」に「配置」する際には、搬送コンベア１１０の上方から載置することは自明であるし、該上方は鉛直上方向であると考えることが最も合理的である。 
　そうすると、甲２の「移載ハンド１１２」は、「搬送コンベア１１０」の鉛直上方向に位置する待機ポジションと該待機ポジションから待避した待避ポジションの間を移動可能、かつ、「搬送コンベア１１０」に対して上下に移動可能であるといえる。 
イ　甲２の図１、３から、「移載ハンド１１２」の「吸着部１１５」は「正極板１０８」や「負極板１０９」よりも明らかに小さいことが看取できるので、「移載ハンド１１２」の「吸着部１１５」が「正極板１０８」や「負極板１０９」を保持したとき、「移載ハンド１１２」の「吸着部１１５」から「正極板１０８」や「負極板１０９」が露出する部位が存在することは自明である。 
ウ　甲２の図１から、「移載ハンド１１２」の「吸着部１１５」の回転動作を意味する矢印が看取できるから、「移載ハンド１１２」の「吸着部１１５」が、「正極板１０８」や「負極板１０９」を「搬送コンベア１１０」に「配置」する際に、「移載ハンド１１２」の「吸着部１１５」は、回転しながら待避ポジションから待機ポジションに移動すると考えられる。
　また、「移載ハンド１１２」の「吸着部１１５」が、「正極板１０８」や「負極板１０９」を吸着する際には、「吸着部１１５」が「正極板１０８」や「負極板１０９」の中央部を吸着すると考えるのが最も合理的である。
　そうすると、甲２の「移載ハンド１１２」の「吸着部１１５」は、待避ポジションから待機ポジションへと移動する方向の前方方向に位置する角に、「移載ハンド１１２」の「吸着部１１５」から「正極板１０８」や「負極板１０９」が露出する部位が存在するといえる。 
エ　甲２の図１から、甲２の「移載ハンド１１２」は「正極板１０８」や「負極板１０９」よりもある程度小さいことが看取できるから、「移載ハンド１１２」の「吸着部１１５」が「搬送コンベア１１０」上にある際には、「移載ハンド１１２」の「吸着部１１５」と「サポート部材１１６」とが平面視で重ならない。 
オ　甲２の【００２２】、【００２４】、【００２５】、及び、上記ア〜エからすると、甲２には、次の発明（以下、「甲２発明」という。）が記載されていると認められる。
「上セパレータ１００が送り出される上セパレータ巻出部１０２と、下セパレータ１０１が送り出される下セパレータ巻出部１０３と、枚葉状の正極板１０８および負極板１０９と、正極板１０８および負極板１０９を搬送コンベア１１０上の下セパレータ１０１に載置する移載ハンド１１２と、載置された正極板１０８と負極板１０９を搬送する搬送コンベア１１０とを備えている２次電池製造装置であって、 
　移載ハンド１１２はＺ軸回りに回転させる支持部１１３と、この支持部１１３に支持されたアーム１１４と、アーム１１４の先端側に取り付けられた正極板１０８および負極板１０９を吸着する吸着部１１５とを備え、
　正極板１０８用、負極板１０９用各々専用に設置された移載ハンド１１２は、吸着部１１５で正極板１０８と負極板１０９を同時に吸着して下セパレータ１０１に正極板１０８と負極板１０９が隣り合うように配置し、
　搬送コンベア１１０上において、正極板１０８および負極板１０９が所定位置に配置されると、搬送コンベア１１０の端部に備えられているサポート部材１１６が待機位置から９０度旋回し、正極板１０８および負極板１０９を押さえ、搬送中の位置ズレの防止を行い、 
　サポート部材１１６の待機位置側は、搬送コンベア１１０の進行方向と平行で正極板１０８と負極板１０９の配置される位置に干渉しない位置であり、サポート部材１１６は、個々の正極板１０８および負極板１０９を搬送コンベア１１０の進行方向に対して左右に少なくとも２カ所で支えることができるように、搬送コンベア１１０の端部に複数個が備えられており、 
　移載ハンド１１２は、搬送コンベア１１０の鉛直上方向に位置する待機ポジションと該待機ポジションから待避した待避ポジションの間を移動可能、かつ、搬送コンベア１１０に対して上下に移動可能であり、
　移載ハンド１１２の吸着部１１５が正極板１０８または負極板１０９を保持したとき、移載ハンド１１２の吸着部１１５から正極板１０８または負極板１０９が露出する部位が存在し、 
　移載ハンド１１２の吸着部１１５は、待避ポジションから待機ポジションへと移動する方向の前方方向に位置する角に、移載ハンド１１２の吸着部１１５から正極板１０８または負極板１０９が露出する部位が存在し、 
　移載ハンド１１２の吸着部１１５が搬送コンベア１１０上にある際には、移載ハンド１１２の吸着部１１５とサポート部材１１６とが平面視で重ならない 
２次電池製造装置。」 
カ　また、同様に、甲２の【００２２】、【００２４】、【００２５】、及び、上記ア〜エからすると、甲２には、次の発明（以下、「甲２方法発明」という。）が記載されていると認められる。 
「甲２発明の２次電池製造装置を用いた２次電池の製造方法。」 
（５）甲５の記載
　甲５には、次の記載がある。なお、下線は当審で付した。
「【００２２】
　図５および図６に示すとおり、
シート積層装置１００は、積層ロボット１１０、正極供給部１２０、負極供給部１３０、積層部１４０、および制御部１５０を有
【００２３】
　積層ロボット１１０は、袋詰正極２０および負極３０を交互に積層して発電要素（積層体）１５を形成する。
積層ロボット１１０は、第１および第２アーム部１１１，１１２からなるＬ字状アーム１１３と、第１および第２アーム部１１１，１１２の先端部にそれぞれ設けられた第１および第２吸着ハンド１１４，１１５とを有
第１および第２アーム部１１１，１１２は、駆動軸１１６を基準に互いに９０度の角度をなす方向に延設されて
Ｌ字状アーム１１３は、アーム駆動部１１７によって駆動軸１１６が駆動されることにより、水平方向に９０度揺動
また、
駆動軸１１６が駆動されることにより昇降
第１吸着ハンド１１４は、袋詰正極２０を吸着保持し、離脱させ
第２吸着ハンド１１５は、負極３０を吸着保持し、離脱させ
【００２４】
　
Ｌ字状アーム１１３が９０度揺動することにより、第１吸着ハンド１１４は、正極供給部１２０と積層部１４０との間を往復移動し、第２吸着ハンド１１５は、積層部１４０と負極供給部１３０との間を往復移動する。言い換えれば、第１吸着ハンド１１４および第２吸着ハンド１１５が正極供給部１２０および積層部１４０の上方にそれぞれ位置する第１状態と、積層部１４０および負極供給部１３０の上方にそれぞれ位置する第２状態とが切り替えられる。また、Ｌ字状アーム１１３が昇降することにより、第１吸着ハンド１１４は、正極供給部１２０または積層部１４０に対して近接離隔し、第２吸着ハンド１１５は、負極供給部１３０または積層部１４０に対して近接離隔
「【００３０】
　
積層部１４０は、積層ロボット１１０により搬送される袋詰正極２０および負極３０を交互に積層する場所であり、
【００３１】
　図９は、積層部の斜視図である。
積層部１４０は、袋詰正極２０および負極３０が交互に積層される積層テーブル１４１と、
袋詰正極２０と負極３０の積層体を押圧するクランパ１４３と、クランパ１４３を駆動するクランパ駆動部１４４とを有
【００３２】
　積層テーブル１４１上にはパレット（不図示）が載置され、パレット上で袋詰正極２０および負極３０が交互に積層される。高さ調整部１４２は、たとえば、ボールネジおよびモータから構成され、袋詰正極２０および負極３０の積層の進行に応じて、積層テーブル１４１を下降させる。高さ調整部１４２は、袋詰正極２０と負極３０の積層体の最上面の高さが略一定に維持されるように、積層テーブル１４１を下降させる。
【００３３】
　
クランパ１４３は、袋詰正極２０と負極３０の積層体を上部から押圧するクランプヘッド１４３ａと、クランプヘッド１４３ａを支持する支持軸１４３ｂとから構成され
クランプヘッド１４３ａは、支持軸１４３ｂを介して下方に付勢されており、底面により積層体の最上面を押圧
【００３４】
　
クランパ駆動部１４４は、支持軸１４３ｂを介して、クランプヘッド１４３ａを回動させつつ一定の高さまで上昇させ
１８０度回動後のクランプヘッド１４３ａを下降させ
「【００５９】
　図１８は、
袋詰正極が積層される直前の積層テーブルおよびクランパの状態
積層テーブル１４１の上方には、積層ロボット１１０の第１吸着ハンド１１４が位置しており、第１吸着ハンド１１４は、袋詰正極２０を吸着保持して
【００６０】
　
続いて、
第１吸着ハンド１１４が下降することにより、積層体の最上部に袋詰正極２０が積層され
このとき、袋詰正極２０の縁部により、クランプヘッド１４３ａが覆われ
【００６１】
　
続いて、クランプヘッド１４３ａが上昇するとともに９０度回動
クランプヘッド１４３ａによって持ち上げられることにより、袋詰正極２０の縁部は一時的にめくれ、元に戻
【００６２】
　
続いて、クランプヘッド１４３ａがさらに９０度回動
クランプヘッド１４３ａの反対側の端部が、袋詰正極２０の上方に位置するようになる
「【図５】
【図６】
　　　　　　　　　　　　　　　　　　　　　　　　　　　」
「【図９】
【図１０】
【図１１】
【図１２】
【図１３】
【図１４】
【図１５】
　　　　　　　　　　　　　　　　　　　　　　　　」
「【図１８】
【図１９】
【図２０】
【図２１】
【図２２】
【図２３】
　　　　　　　　　　　　　　　　　　　　　　　　」
（６）甲５発明
ア　甲５の図６、１０〜１５から、積層ロボット１１０の第１吸着ハンド１１４が袋詰正極２０を吸着保持したとき、または、積層ロボット１１０の第２吸着ハンド１１５が負極３０を吸着保持したときに、第１吸着ハンド１１４または第２吸着ハンド１１５から、袋詰正極２０または負極３０の露出する部位が存在することが看取できる。 
イ　甲５には、「Ｌ字状アーム１１３が９０度揺動することにより、第１吸着ハンド１１４は、正極供給部１２０と積層部１４０との間を往復移動し、第２吸着ハンド１１５は、積層部１４０と負極供給部１３０との間を往復移動し、Ｌ字状アーム１１３が昇降することにより、第１吸着ハンド１１４は、正極供給部１２０または積層部１４０に対して近接離隔し、第２吸着ハンド１１５は、負極供給部１３０または積層部１４０に対して近接離隔」（【００２４】）することが記載されている。 
　そして、甲５の図６、１０〜１５から、甲５の第１吸着ハンド１１４は、正極供給部１２０から積層部１４０へと移動する方向の前方方向に位置する角に、第１吸着ハンド１１４から袋詰正極２０の露出する部位が存在することが看取できる。 
　また、甲５の図６、１０〜１５から、甲５の第２吸着ハンド１１５は、負極供給部１３０から積層部１４０へと移動する方向の前方方向に位置する角に、第２吸着ハンド１１５から負極３０の露出する部位が存在することが看取できる。 
ウ　甲５の図６、９〜１５から、「クランパ１４３」が、積層部１４０のそれぞれ互いに対向する別々の辺に２つづつ設けられていることが看取できる。
エ　甲５には、「袋詰正極が積層される直前の積層テーブルおよびクランパの状態」では、「積層テーブル１４１の上方には、積層ロボット１１０の第１吸着ハンド１１４が位置しており、第１吸着ハンド１１４は、袋詰正極２０を吸着保持して」おり、「続いて、」「第１吸着ハンド１１４が下降することにより、積層体の最上部に袋詰正極２０が積層され」、「このとき、袋詰正極２０の縁部により、クランプヘッド１４３ａが覆われ」、「続いて、クランプヘッド１４３ａが上昇するとともに９０度回動」し、「クランプヘッド１４３ａによって持ち上げられることにより、袋詰正極２０の縁部は一時的にめくれ、元に戻」り、「続いて、クランプヘッド１４３ａがさらに９０度回動」し、「クランプヘッド１４３ａの反対側の端部が、袋詰正極２０の上方に位置するようになる」（【００５９】〜【００６２】）ことが記載されている。 
オ　甲５の図５、１８〜２３から、「積層部１４０」に「第１吸着ハンド１１４」があるときに、「第１吸着ハンド１１４」は「クランパ１４３」と平面視で重なっていないことが看取できる。
　また、図６、１０〜１５から、「第１吸着ハンド１１４」と「第２吸着ハンド１１５」がほぼ同程度の大きさであることが看取できるから、「第２吸着ハンド１１５」も「第１吸着ハンド１１４」と同様に、「積層部１４０」に「第２吸着ハンド１１５」があるときに、「第２吸着ハンド１１５」は「クランパ１４３」と平面視で重なっていないといえる。 
カ　甲５の【００２２】〜【００２４】、【００３０】、【００３１】、【００３３】、【００３４】、【００５９】〜【００６２】、及び、上記ア〜オからすると、甲５には、次の発明（以下、「甲５発明」という。）が記載されていると認められる。 
「積層ロボット１１０、正極供給部１２０、負極供給部１３０、積層部１４０を有するシート積層装置１００であって、 
　積層ロボット１１０は、第１および第２アーム部１１１，１１２からなるＬ字状アーム１１３と、第１および第２アーム部１１１，１１２の先端部にそれぞれ設けられた第１および第２吸着ハンド１１４，１１５とを有し、 
　第１および第２アーム部１１１，１１２は、駆動軸１１６を基準に互いに９０度の角度をなす方向に延設されており、 
　Ｌ字状アーム１１３は、アーム駆動部１１７によって駆動軸１１６が駆動されることにより、水平方向に９０度揺動し、また、動軸１１６が駆動されることにより昇降し、 
　第１吸着ハンド１１４は、袋詰正極２０を吸着保持し、離脱させ、第２吸着ハンド１１５は、負極３０を吸着保持し、離脱させ、 
　Ｌ字状アーム１１３が９０度揺動することにより、第１吸着ハンド１１４は、正極供給部１２０と積層部１４０との間を往復移動し、第２吸着ハンド１１５は、積層部１４０と負極供給部１３０との間を往復移動し、Ｌ字状アーム１１３が昇降することにより、第１吸着ハンド１１４は、正極供給部１２０または積層部１４０に対して近接離隔し、第２吸着ハンド１１５は、負極供給部１３０または積層部１４０に対して近接離隔し、 
　積層部１４０は、積層ロボット１１０により搬送される袋詰正極２０および負極３０を交互に積層する場所であり、 
　積層部１４０は、袋詰正極２０および負極３０が交互に積層される積層テーブル１４１と、袋詰正極２０と負極３０の積層体を押圧するクランパ１４３と、クランパ１４３を駆動するクランパ駆動部１４４とを有し、 
　クランパ１４３は、袋詰正極２０と負極３０の積層体を上部から押圧するクランプヘッド１４３ａと、クランプヘッド１４３ａを支持する支持軸１４３ｂとから構成され、クランプヘッド１４３ａは、支持軸１４３ｂを介して下方に付勢されており、底面により積層体の最上面を押圧し、 
　クランパ駆動部１４４は、支持軸１４３ｂを介して、クランプヘッド１４３ａを回動させつつ一定の高さまで上昇させ、また、１８０度回動後のクランプヘッド１４３ａを下降させ、 
　積層ロボット１１０の第１吸着ハンド１１４が袋詰正極２０を吸着保持したとき、または、積層ロボット１１０の第２吸着ハンド１１５が負極３０を吸着保持したときに、第１吸着ハンド１１４または第２吸着ハンド１１５から、袋詰正極２０または負極３０が露出する部位が存在し、 
　第１吸着ハンド１１４は、正極供給部１２０から積層部１４０へと移動する方向の前方方向に位置する角に、第１吸着ハンド１１４から袋詰正極２０が露出する部位が存在し、 
　第２吸着ハンド１１５は、負極供給部１３０から積層部１４０へと移動する方向の前方方向に位置する角に、第２吸着ハンド１１５から負極３０が露出する部位が存在し、
　クランパ１４３が、積層部１４０のそれぞれ互いに対向する別々の辺に２つづつ設けられており、
　袋詰正極が積層される直前の積層テーブルおよびクランパの状態では、積層テーブル１４１の上方には、積層ロボット１１０の第１吸着ハンド１１４が位置しており、第１吸着ハンド１１４は、袋詰正極２０を吸着保持しており、続いて、第１吸着ハンド１１４が下降することにより、積層体の最上部に袋詰正極２０が積層され、このとき、袋詰正極２０の縁部により、クランプヘッド１４３ａが覆われ、続いて、クランプヘッド１４３ａが上昇するとともに９０度回動し、クランプヘッド１４３ａによって持ち上げられることにより、袋詰正極２０の縁部は一時的にめくれ、元に戻り、続いて、クランプヘッド１４３ａがさらに９０度回動し、クランプヘッド１４３ａの反対側の端部が、袋詰正極２０の上方に位置するようになり、 
　積層部１４０に第１吸着ハンド１１４があるときに、第１吸着ハンド１１４はクランパ１４３と平面視で重なっておらず、 
　積層部１４０に第２吸着ハンド１１５があるときに、第２吸着ハンド１１５はクランパ１４３と平面視で重なっていない 
シート積層装置１００。」 
キ　また、同様に、甲５の【００２２】〜【００２４】、【００３０】、【００３１】、【００３３】、【００３４】、【００５９】〜【００６２】、及び、上記ア〜オからすると、甲５には、次の発明（以下、「甲５方法発明」という。）が記載されていると認められる。 
「甲５発明のシート積層装置１００を用いたシート積層体の製造方法。」 
（７）甲６の記載
　甲６には、次の記載がある。なお、下線は当審で付した。
「【発明を実施するための形態】
【００２３】
　以下、一実施形態について、図面を参照しつつ説明する。
【００２４】
　図３に示すように、積層電池を構成する積層体４は、下から順に負極箔１、セパレータ２、及び、正極箔３、セパレータ２がこの順序で繰り返し積み上げられるようにして積層されている（勿論、正極箔３が最下層に位置し、その上にセパレータ２、負極箔１、セパレータ２、正極箔３、・・・の順で積層されていてもよい）。負極箔１及び正極箔３は、金属箔よりなる極箔本体の表裏両面に活物質が塗布形成されることにより構成され、その一側縁部が活物質の塗布されていない未塗工部１Ａ，３Ａとなっている。尚、負極箔１の極箔本体は、銅により構成され、正極箔３の極箔本体は、アルミニウムにより構成されている。また、以降において、特に正・負を区別する必要のないときには、負極箔１、正極箔３を総称して「電極箔」と称することもある。
【００２５】
　セパレータ２は、電気絶縁性のシート状の多孔質樹脂フィルムにより構成されており、前記負極箔１、正極箔３の平面矩形状の部分（塗工部）よりもとほぼ同等又は一回り大きい矩形状をなしている。適正な積層状態においては、正極箔３及び負極箔１の矩形状部分（塗工部）は、前記セパレータ２によって完全に覆われており（はみ出しておらず）、正極箔３及び負極箔１の各突出部、すなわち、未塗工部１Ａ，３Ａのみが、それぞれ異なる位置においてセパレータ２からはみ出すようにして突出している。当該各未塗工部１Ａ，３Ａは、負極タブ、正極タブに相当するものであり、積層電池の内部で電極端子の負極および正極にそれぞれ電気的に接続される領域である。尚、本実施形態では、
負極箔１、正極箔３、セパレータ２が、シート体を構成
【００２６】
　図２は、
積層電池の製造装置
製造装置１０は、セパレータ供給ステージ１１、電極箔供給ステージ１２、及び積層ステージ１３を備えている
積層ステージ１３には、所定の積層位置において、押さえ手段としての押さえ爪１８が設けられて
押さえ爪１８は、
アクチュエータにより、自身の先端が積層体を押さえつける押さえ位置と、自身の先端が積層体を押さえつけない開放位置との間で位置切換可能に構成されて
【００２７】
　製造装置１０はまた、上記各ステージ１１〜１３の中心の上方を通るようにして設けられたガイドレール１４を備えている。当該ガイドレール１４は、図示しない支柱により支持されている。そして、
ガイドレール１４には搬送アーム１５
が垂下状態で支持され、当該搬送アーム１５の下端には吸着手段１６が設けられて
【００２８】
　搬送アーム１５は、図示しないモータ等の駆動手段により前記ガイドレール１４に沿って移動可能に設けられているとともに、後述するサーボモータ２４（図１参照）の作動により、上下方向（図２では紙面奥行方向）に伸縮可能となっている（これについても後述する）。搬送アーム１５がガイドレール１４に沿って移動することにより、吸着手段１６もまた、ガイドレール１４に沿って移動する。また、搬送アーム１５が伸縮することにより、吸着手段１６が上下動するようになっている。
【００２９】
　上記の製造装置１０を用いた積層体４の積層の概略について説明すると、
積層に際しては先ず、電極箔供給ステージ１２上にある負極箔１が吸着手段１６に吸着させられ
吸着手段１６により負極箔１が吸着させられた状態で、今度は積層ステージ１３上へと案内され、該積層ステージ１３上の所定の積層位置へと載置させられ
当該載置に際しては、前記押さえ爪１８により、負極箔１が位置ズレを極力起こさないよう、押さえ付けられ
【００３０】
　
次に、吸着手段１６はセパレータ供給ステージ１１上に案内され、
セパレータ供給ステージ１１上にあるセパレータ２が吸着手段１６により吸着させられ、積層ステージ１３上へと案内され、該積層ステージ１３上の前記積層位置へと載置させられ
【００３１】
　さて、本実施形態においては、吸着手段１６等に特徴があるので、次には、当該吸着手段１６等の構成について説明する。
【００３２】
　図１、図５、図７に示すように、
吸着手段１６は、第１吸着部２１と第２吸着部２２とを備えて
第１吸着部２１は、前記シート体よりも小さい矩形状をなして
当該第１吸着部２１の外周側に位置するようにして平面視ロ字状をなす第２吸着部２２が上下方向に相対移動可能に設けられて
吸着手段１６が積層ステージ１３の上方の所定の積層位置にあるとき、第１吸着部２１は押さえ爪１８と干渉しないようになっており、第２吸着部２２は、押さえ爪１８と干渉する（平面視において重なり合う）ように構成されて
【００３３】
　第１吸着部２１及び第２吸着部２２は、いずれも板状のベース部材２１Ａ，２２Ａと、ベース部材２１Ａ，２２Ａの下面に設けられた多孔質吸着パッド２１Ｂ，２２Ｂとを備えている。両吸着部２１，２２のベース部材２１Ａ，２２Ａには、図示しない吸引孔が形成されている。第１吸着部２１のベース部材２１Ａの上側に開口する吸引孔には、第１バキュームホース２８の一端が接続され、第２吸着部２２のベース部材２２Ａ上側に開口する吸引孔には、第２バキュームホース２９の一端が接続されている。両ベース部材２１Ａ，２２Ａ下側には、複数本に分岐された吸引孔の他端側が開口状態で臨んでおり、それらが多孔質吸着パッド２１Ｂ，２２Ｂの複数箇所に連通されている。さらに、第１、第２バキュームホース２８，２９の他端には、それぞれ図示しないバキュームポンプが接続されている。そして、各バキュームポンプがオン状態とされることで、前記第１、第２バキュームホース２８，２９及び吸引孔を介して多孔質吸着パッド２１Ｂ，２２Ｂからの吸引が行われるようになっている。本実施形態では、
第２吸着部２２の外形が、前記シート体（電極箔６）の外形と同等に設定されており、
【００３４】
　前記搬送アーム１５が垂下状態で支持されている点については上述したが、当該搬送アーム１５の下端にはボールねじ２３及びサーボモータ２４が一体となった駆動手段２５を介して前記第１吸着部２１（のベース部材）が連結されている。そして、前記サーボモータ２４の作動により、吸着手段１６（第１吸着部２１）等が上下動するようになっている。本実施形態では、前述したモータ等の駆動手段及び当該サーボモータ２４等の駆動手段２５により吸着手段１６が移動させられることとなり、両駆動手段によって移動手段が構成されている。
【００３５】
　前記第１吸着部２１のベース部材２１Ａには、ブラケット３１が立設されており、該ブラケット３１を介してシリンダ３２が設けられている。シリンダ３２の下部には、ロッド３３が出没可能に設けられており、該ロッド３３の下端には前記第２吸着部２２（のベース部材２２Ａ）が連結されている。そして、図１に示すようにロッド３３が突出状態にある場合には、第１吸着部２１と第２吸着部２２の多孔質吸着パッド２１Ｂ，２２Ｂ同士が面一となり、図７に示すように、ロッド３３がシリンダ３２内に没入状態にある場合には、第２吸着部２２が、第１吸着部２１に対し相対的に上動するようになっている。
【００３６】
　
次に、
先ず、搬送アーム１５がセパレータ供給ステージ１１又は電極箔供給ステージ１２の上に案内され、その位置において搬
吸着手段１６が下動させられ
吸着手段１６による吸引が開始させられ
【００３７】
　
そして、吸着手段１６によりセパレータ２又は電極箔（負極箔１又は正極箔３）が吸着させられた状態で、
吸着手段１６が上動させられ、今度は積層ステージ１３上へと案内され
【００３８】
　
吸着手段１６が積層ステージ１３上へ案内された所定のタイミングにおいて、
第２吸着部２２が、第１吸着部２１に対し相対的に上動
第１吸着部２１が第２吸着部２２から相対的に離間させられるとともに、当該離間に際し、第２吸着部２２による吸着が解除され
そして、セパレータ２又は電極箔（負極箔１又は正極箔３）は、第１吸着部２１のみによって吸着されることとな
【００３９】
　
その後、
吸着手段１６が下動させられ
下動した吸着手段１６のうち、第１吸着部２１のみがセパレータ２又は電極箔（負極箔１又は正極箔３）を介して積層ステージ１３上
に当接させられ
そして、その状態から
第１吸着部２１による吸着が解除され、セパレータ２又は電極箔（負極箔１又は正極箔３）は積層ステージ１３上に載置され
【００４０】
　さらに、図８（ｂ）に示すように、
押さえ爪１８が載置されたセパレータ２又は電極箔（負極箔１又は正極箔３）の側縁部を押さえることで、位置ずれのない安定した積層が実行される
「【図１】
　　　　　　　　　　　　　　　　　　　　　　　　　　　」
「【図５】
【図６】
【図７】
【図８】
　　　　　　　　　　　　　　　　　　　　　　　　　　　　」
（８）甲６発明
ア　甲６の【００２５】〜【００２７】、【００２９】、【００３０】、【００３２】、【００３３】、【００３６】〜【００４０】からすると、甲６には、次の発明（以下、「甲６発明」という。）が記載されていると認められる。 
「セパレータ供給ステージ１１、電極箔供給ステージ１２、及び積層ステージ１３を備えている積層電池の製造装置１０であって、
　負極箔１、正極箔３、セパレータ２が、シート体を構成し、
　積層ステージ１３には、所定の積層位置において、押さえ手段としての押さえ爪１８が設けられており、押さえ爪１８は、アクチュエータにより、自身の先端が積層体を押さえつける押さえ位置と、自身の先端が積層体を押さえつけない開放位置との間で位置切換可能に構成されており、
　ガイドレール１４には搬送アーム１５が垂下状態で支持され、当該搬送アーム１５の下端には吸着手段１６が設けられており、
　吸着手段１６は、第１吸着部２１と第２吸着部２２とを備えており、第１吸着部２１は、シート体よりも小さい矩形状をなしており、当該第１吸着部２１の外周側に位置するようにして平面視ロ字状をなす第２吸着部２２が上下方向に相対移動可能に設けられており、吸着手段１６が積層ステージ１３の上方の所定の積層位置にあるとき、第１吸着部２１は押さえ爪１８と干渉しないようになっており、第２吸着部２２は、押さえ爪１８と干渉する（平面視において重なり合う）ように構成されており、
　第２吸着部２２の外形が、シート体（電極箔６）の外形と同等に設定されており、
　吸着手段１６は、ガイドレール１４の搬送アーム１５が垂下状態で支持されており、
　積層に際しては先ず、電極箔供給ステージ１２上にある負極箔１が吸着手段１６に吸着させられ、吸着手段１６により負極箔１が吸着させられた状態で、今度は積層ステージ１３上へと案内され、該積層ステージ１３上の所定の積層位置へと載置させられ、当該載置に際しては、前記押さえ爪１８により、負極箔１が位置ズレを極力起こさないよう、押さえ付けられ、
　次に、吸着手段１６はセパレータ供給ステージ１１上に案内され、セパレータ供給ステージ１１上にあるセパレータ２が吸着手段１６により吸着させられ、積層ステージ１３上へと案内され、該積層ステージ１３上の前記積層位置へと載置させられ、
　この積層動作において、先ず、吸着手段１６が設けられた搬送アーム１５がセパレータ供給ステージ１１又は電極箔供給ステージ１２の上に案内され、その位置において、吸着手段１６が下動させられ、そして、吸着手段１６による吸引が開始させられ、吸着手段１６によりセパレータ２又は電極箔（負極箔１又は正極箔３）が吸着させられた状態で、吸着手段１６が上動させられ、今度は積層ステージ１３上へと案内され、吸着手段１６が積層ステージ１３上へ案内された所定のタイミングにおいて、第２吸着部２２が、第１吸着部２１に対し相対的に上動し、第１吸着部２１が第２吸着部２２から相対的に離間させられるとともに、当該離間に際し、第２吸着部２２による吸着が解除され、そして、セパレータ２又は電極箔（負極箔１又は正極箔３）は、第１吸着部２１のみによって吸着されることとなり、その後、吸着手段１６が下動させられ、下動した吸着手段１６のうち、第１吸着部２１のみがセパレータ２又は負極箔１を介して積層ステージ１３上に当接させられ、そして、その状態から第１吸着部２１による吸着が解除され、セパレータ２又は電極箔（負極箔１又は正極箔３）は積層ステージ１３上に載置され、押さえ爪１８が載置されたセパレータ２又は電極箔（負極箔１又は正極箔３）の側縁部を押さえることで、位置ずれのない安定した積層が実行される
積層電池の製造装置１０。」
イ　また、同様に、甲６の【００２５】〜【００２７】、【００２９】、【００３０】、【００３２】、【００３３】、【００３６】〜【００４０】からすると、甲６には、次の発明（以下、「甲６方法発明」という。）が記載されていると認められる。 
「甲６発明の積層電池の製造装置１０を用いた積層電池の製造方法。」 
６　当審の判断
（１）本件発明の「切り欠き部」の解釈について
　「切欠き（きりかき）」とは、一般的には、「部材接合のため切り取った部分」（株式会社岩波書店 広辞苑第六版）をいうが、本件発明の「切り欠き部」は、発明の詳細な説明の記載を参酌しても、切り取ったということ自体に技術的な意義が認められず、「切り欠き部」からシートが露出していることに技術的な意義があるから、単に、搬送ハンドラからシートが露出している部分を意味していると認められる。
 以下、この解釈を前提に検討する。 
（２）甲１を主たる引例とした新規性・進歩性について（上記２の（１）のア、イ、上記３の（１）のア、イ）
（２）−１　本件発明１について 
ア　本件発明１と甲１発明とを対比する。 
イ　甲１発明の「セパレータ２」、「正極４」及び「負極６」はいずれも、本件発明１の「シート」に相当する。 
ウ　甲１発明の「第１，第２載置領域Ａ１，Ａ２」は、本件発明１の「ステージ」に相当する。 
エ　甲１発明の「正極積層ロボット５１」の「吸引ハンド５３」は、「保持した２組のセパレータ２および正極４を、正極４を下にして第１，第２載置領域Ａ１，Ａ２に載置」するものであるから、本件発明１の「積層されるシートを搬送する第１の搬送ハンドラ」に相当する。 
オ　甲１発明の「負極積層ロボット５２」の「吸引ハンド５３」は、「吸引ハンド５３により保持した２組のセパレータ２および負極６を、負極６を下にして第１，第２載置領域Ａ１，Ａ２に載置」するものであるから、本件発明１の「積層されるシートを搬送する第２の搬送ハンドラ」に相当する。 
カ　甲１発明の「第１クランパ６４Ａ」及び「第３クランパ６４Ｃ」は、本件発明１の「第１のクランプ装置」及び「第２のクランプ装置」にそれぞれ相当する。 
キ　甲１発明の「吸引ハンド５３により保持した２組のセパレータ２および正極４を、正極４を下にして第１，第２載置領域Ａ１，Ａ２に載置し、」「吸引ハンド５３により保持した２組のセパレータ２および負極６を、負極６を下にして第１，第２載置領域Ａ１，Ａ２に載置」する事項は、本件発明１の「複数のシートが積層されて成るシート積層体を載置するステージ」「を有」する事項に相当する。 
ク　甲１発明の「正極，負極積層ロボット５１，５２の吸引ハンド５３は、第１，第２載置領域Ａ１，Ａ２の鉛直上方向に位置する待機ポジションと該待機ポジションから待避した待避ポジションの間を移動可能、かつ、第１，第２載置領域Ａ１，Ａ２に対して上下に移動可能であ」る事項は、本件発明１の「ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、」「前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、」「を有」する事項に相当する。 
ケ　甲１発明の「正極，負極積層ロボット５１，５２の吸引ハンド５３が、２組のセパレータ２および正極４、または、２組のセパレータ２および負極６を保持したとき、吸引ハンド５３から、２組のセパレータ２および正極４、または、２組のセパレータ２および負極６が露出する部位が存在する」事項は、上記（１）の「本件発明の「切り欠き部」の解釈について」の検討結果に照らせば、本件発明１の「第１の搬送ハンドラ」が「周辺部に切り欠き部を有」し、「第２の搬送ハンドラ」が「周辺部に切り欠き部を有する」事項に相当する。 
コ　甲１発明の「第１，４，５クランパ６４Ａ，６４Ｄ，６４Ｅが上昇しつつ回転して、開動作（クランプ動作）を行い開状態となり、」「第１，４，５クランパ６４Ａ，６４Ｄ，６４Ｅが下降して、閉動作（アンクランプ動作）を行い閉状態となり、これにより、第１，第２載置領域Ａ１，Ａ２に載置されたセパレータ２および正極４が、対角の縁部で把持され」る事項は、本件発明１の「ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置」「を有」する事項に相当する。 
サ　甲１発明は、「第１クランパ６４Ａ及び第３クランパ６４Ｃは、第２載置領域Ａ２のそれぞれ互いに対向する別々の辺に設けられて」いるから、甲１発明の「第２，３，６クランパ６４Ｂ，６４Ｃ，６４Ｆが上昇しつつ回転して、開動作（クランプ動作）を行い開状態となり、」「第２，３，６クランパ６４Ｂ，６４Ｃ，６４Ｆが下降して、閉動作（アンクランプ動作）を行い閉状態となり、これにより、第１，第２載置領域Ａ１，Ａ２に載置されたセパレータ２および負極６が、対角の縁部で把持され」る事項は、本件発明１の「ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置」「を有」する事項に相当する。 
シ　甲１発明の「正極，負極積層ロボット５１，５２の吸引ハンド５３」の「待機ポジション」は、「第１，第２載置領域Ａ１，Ａ２の鉛直上方向に位置」し、「電極積層部５０のパレット６０に正極，負極積層ロボット５１，５２の吸引ハンド５３があるとき、該吸引ハンド５３は第１〜６クランパ６４Ａ〜６４Ｆと平面視で重ならない」ものであるから、甲１発明は、本件発明１の「待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重なら」ない事項を含むものである。 
ス　甲１発明の「正極，負極積層ロボット５１，５２の吸引ハンド５３が、２組のセパレータ２および正極４、または、２組のセパレータ２および負極６を保持したとき、正極，負極積層ロボット５１，５２の吸引ハンド５３から、２組のセパレータ２および正極４、または、２組のセパレータ２および負極６が露出する部位が存在し、」「電極積層部５０のパレット６０に正極，負極積層ロボット５１，５２の吸引ハンド５３があるとき、該吸引ハンド５３は第１〜６クランパ６４Ａ〜６４Ｆと平面視で重ならない」事項は、本件発明１の「第１の搬送ハンドラに搬送される前記シートの前記切り欠き部で露出した部分と、前記第１のクランプ装置の前記押圧する部分とが前記ステージの前記シート積層体が積載される面に対する平面視で重なり、前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる」事項に相当する。 
セ　上記ア〜スより、本件発明１と甲１発明とは、 
「複数のシートが積層されて成るシート積層体を載置するステージと、 
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、 
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、 
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、 
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、 
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、 
　前記第１の搬送ハンドラに搬送される前記シートの前記切り欠き部で露出した部分と、前記第１のクランプ装置の前記押圧する部分とが前記ステージの前記シート積層体が積載される面に対する平面視で重なり、 
　前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる 
シート積層装置。」である点で一致し、下記Ａ及びＢの相違点で相違する。
（相違点）
Ａ　本件発明１は、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され」るのに対し、甲１発明は、そのような特定がない点。
Ｂ　本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るのに対し、甲１発明は、「第１，４，５クランパ６４Ａ，６４Ｄ，６４Ｅが上昇しつつ回転して、開動作（クランプ動作）を行い開状態となり、吸引ハンド５３をパレット６０に移動させ、吸引ハンド５３により保持した２組のセパレータ２および正極４を、正極４を下にして第１，第２載置領域Ａ１，Ａ２に載置し、」「第２，３，６クランパ６４Ｂ，６４Ｃ，６４Ｆが上昇しつつ回転して、開動作（クランプ動作）を行い開状態となり、この後、吸引ハンド５３をパレット６０に移動させ、吸引ハンド５３により保持した２組のセパレータ２および負極６を、負極６を下にして第１，第２載置領域Ａ１，Ａ２に載置」するものであって、クランパが上昇した後に吸引ハンドが移動する点。
ソ　まず、事案に鑑み、上記Ｂの相違点について検討する。
タ　甲１発明は、「第１，４，５クランパ６４Ａ，６４Ｄ，６４Ｅが上昇しつつ回転して、開動作（クランプ動作）を行い開状態となり、吸引ハンド５３をパレット６０に移動させ、吸引ハンド５３により保持した２組のセパレータ２および正極４を、正極４を下にして第１，第２載置領域Ａ１，Ａ２に載置」するものであって、第１，４，５クランパ６４Ａ，６４Ｄ，６４Ｅが上昇した後、吸引ハンド５３がパレット６０に移動するものである。
チ　これに対して、本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わ」ることにより、「シートを積層するサイクルタイムを低減」（【０００８】）という効果を奏するものである。
ツ　したがって、上記Ｂの相違点は、実質的な相違点であるといえる。
テ　そして、甲１発明は、「電池内への異物混入の可能性を極力抑制し、かつクランパを駆動するための他の動力源を必要としないシート積層装置およびシート積層方法を提供する」（甲１の【０００５】）ものであって、本件発明１のように「シートを積層するサイクルタイムを低減」（本件明細書の【０００８】）するものではないから、甲１発明において、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るようにする、動機付けが見当たらない。
ト　また、本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るようにすることにより、本件発明の「シートを積層するサイクルタイムを低減」（本件明細書の【０００８】）するという効果を奏するものである。
ナ　そうすると、甲１発明において、上記Ｂの相違点に係る本件発明１の発明特定事項を得ることは、当業者が容易になし得たこととはいえない。
ニ　よって、上記Ａの相違点について検討するまでもなく、本件発明１は、甲１発明ではないし、甲１発明から、当業者が容易に発明をすることができたものでもない。
（２）−２　本件発明２、３、５、６、８について
ア　本件発明２、３、５、６、８は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を含むものであるから、本件発明２、３、５、６、８と甲１発明とは、少なくとも、上記Ｂの相違点で相違する。
イ　そして、上記Ｂの相違点については、上記（２）−１で検討した理由と同様の理由により、実質的な相違点であるし、上記Ｂの相違点に係る本件発明２、３、５、６、８の発明特定事項を得ることは、当業者が容易になし得たこととはいえない。
ウ　よって、本件発明２、３、５、６、８は、甲１発明ではないし、甲１発明から、当業者が容易に発明をすることができたものでもない。
（２）−３　本件発明９、１０について
ア　本件発明９、１０は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を含むものであるから、本件発明９、１０と甲１方法発明とは、少なくとも、上記Ｂの相違点で相違する。
イ　そして、上記Ｂの相違点については、上記（２）−１で検討した理由と同様の理由により、実質的な相違点であるし、上記Ｂの相違点に係る本件発明９、１０の発明特定事項を得ることは、当業者が容易になし得たこととはいえない。
ウ　よって、本件発明９、１０は、甲１方法発明ではないし、甲１方法発明から、当業者が容易に発明をすることができたものでもない。
（３）甲２を主たる引例とした新規性・進歩性について（上記２の（１）のウ、エ、上記３の（１）のウ、エ）
（３）−１　本件発明１について
ア　本件発明１と甲２発明とを対比する。 
イ　甲２発明の「上セパレータ１００」、「下セパレータ１０１」、「正極板１０８」、「負極板１０９」はいずれも、本件発明１の「シート」に相当する。 
ウ　甲２発明の「搬送コンベア１１０」は、本件発明１の「ステージ」に相当する。 
エ　甲２発明の「正極板１０８用」「移載ハンド１１２」は、「吸着部１１５で正極板１０８」を「吸着して下セパレータ１０１に」「配置」するものであるから、本件発明１の「積層されるシートを搬送する第１の搬送ハンドラ」に相当する。 
オ　甲２発明の「負極板１０９用」「移載ハンド１１２」は、「吸着部１１５で」「負極板１０９」を「吸着して下セパレータ１０１に」「配置」するものであるから、本件発明１の「積層されるシートを搬送する第２の搬送ハンドラ」に相当する。 
カ　甲２発明の「個々の正極板１０８および負極板１０９を搬送コンベア１１０の進行方向に対して左右に少なくとも２カ所で支えることができるように、搬送コンベア１１０の端部に複数個が備えられ」た「サポート部材１１６」は、本件発明１の「第１のクランプ装置」及び「第２のクランプ装置」に相当する。 
キ　甲２発明の「枚葉状の正極板１０８および負極板１０９と、正極板１０８および負極板１０９を搬送コンベア１１０上の下セパレータ１０１に載置する」事項は、本件発明１の「複数のシートが積層されて成るシート積層体を載置するステージ」「を有」する事項に相当する。 
ク　甲２発明の「正極板１０８用、負極板１０９用各々専用に設置された」「移載ハンド１１２は、搬送コンベア１１０の鉛直上方向に位置する待機ポジションと該待機ポジションから待避した待避ポジションの間を移動可能、かつ、搬送コンベア１１０に対して上下に移動可能であ」る事項は、本件発明１の「第１の搬送ハンドラ」が、「ステージの上方に位置する待機ポジションと前記待機ポジションから退避した退避ポジションとの間を移動可能、かつ、前記ステージに対して上下に移動可能であり、」「第２の搬送ハンドラ」が、「ステージの上方に位置する待機ポジションと前記待機ポジションから退避した退避ポジションとの間を移動可能、かつ、前記ステージに対して上下に移動可能であ」る事項に相当する。 
ケ　甲２発明の「正極板１０８用、負極板１０９用各々専用に設置された」「移載ハンド１１２の吸着部１１５が正極板１０８または負極板１０９を保持したとき、移載ハンド１１２の吸着部１１５から正極板１０８または負極板１０９が露出する部位が存在」する事項は、上記（１）の「本件発明の「切り欠き部」の解釈について」の検討結果に照らせば、本件発明１の「第１の搬送ハンドラ」が「周辺部に切り欠き部を有」し、「第２の搬送ハンドラ」が「周辺部に切り欠き部を有する」事項に相当する。 
コ　甲２発明の「サポート部材１１６」は、「待機位置から９０度旋回し、正極板１０８および負極板１０９を押さえ、搬送中の位置ズレの防止を行」うものであるところ、「正極板１０８および負極板１０９を押さえ」るために、上下動することは自明であるから、甲２発明の「サポート部材１１６は、個々の正極板１０８および負極板１０９を搬送コンベア１１０の進行方向に対して左右に少なくとも２カ所で支えることができるように、搬送コンベア１１０の端部に複数個が備えられており、」「搬送コンベア１１０上において、正極板１０８および負極板１０９が所定位置に配置されると、搬送コンベア１１０の端部に備えられているサポート部材１１６が待機位置から９０度旋回し、正極板１０８および負極板１０９を押さえ、搬送中の位置ズレの防止を行」う事項は、本件発明１の「ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有」する事項に相当する。 
サ　甲２発明の「移載ハンド１１２の吸着部１１５」の「待機ポジション」は、「搬送コンベア１１０の鉛直上方向に位置」し、「移載ハンド１１２の吸着部１１５が搬送コンベア１１０上にある際には、移載ハンド１１２の吸着部１１５とサポート部材１１６とが平面視で重ならない」から、甲２発明は、本件発明１の「待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重なら」ない事項を含むものである。 
シ　甲２発明の「移載ハンド１１２の吸着部１１５が正極板１０８または負極板１０９を保持したとき、移載ハンド１１２の吸着部１１５から正極板１０８または負極板１０９が露出する部位が存在し、」「移載ハンド１１２の吸着部１１５が搬送コンベア１１０上にある際には、移載ハンド１１２の吸着部１１５とサポート部材１１６とが平面視で重ならない」事項は、本件発明１の「第１の搬送ハンドラに搬送される前記シートの前記切り欠き部で露出した部分と、前記第１のクランプ装置の前記押圧する部分とが前記ステージの前記シート積層体が積載される面に対する平面視で重なり、前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる」事項に相当する。 
ス　甲２発明の「２次電池製造装置」は、「正極板１０８および負極板１０９を搬送コンベア１１０上の下セパレータ１０１に載置する」ものであるから、本件発明１の「シート積層装置」に相当する。 
セ　上記ア〜スより、本件発明１と甲２発明とは、 
「複数のシートが積層されて成るシート積層体を載置するステージと、 
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、 
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、 
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、 
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、 
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、 
　前記第１の搬送ハンドラに搬送される前記シートの前記切り欠き部で露出した部分と、前記第１のクランプ装置の前記押圧する部分とが前記ステージの前記シート積層体が積載される面に対する平面視で重なり、 
　前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる 
シート積層装置。」である点で一致し、下記Ｃ及びＤの相違点で相違する。
（相違点）
Ｃ　本件発明１は、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され」るのに対し、甲２発明は、そのような特定がない点。
Ｄ　本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るのに対し、甲２発明は、「正極板１０８用、負極板１０９用各々専用に設置された移載ハンド１１２は、吸着部１１５で正極板１０８と負極板１０９を同時に吸着して下セパレータ１０１に正極板１０８と負極板１０９が隣り合うように配置し、搬送コンベア１１０上において、正極板１０８および負極板１０９が所定位置に配置されると、搬送コンベア１１０の端部に備えられているサポート部材１１６が待機位置から９０度旋回し、正極板１０８および負極板１０９を押さえ、搬送中の位置ズレの防止を行」うものであって、サポート部材１１６が待機位置に旋回するタイミングが不明である点。
ソ　まず、事案に鑑み、上記Ｄの相違点について検討する。
タ　甲２発明は、「正極板１０８用、負極板１０９用各々専用に設置された移載ハンド１１２は、吸着部１１５で正極板１０８と負極板１０９を同時に吸着して下セパレータ１０１に正極板１０８と負極板１０９が隣り合うように配置し、搬送コンベア１１０上において、正極板１０８および負極板１０９が所定位置に配置されると、搬送コンベア１１０の端部に備えられているサポート部材１１６が待機位置から９０度旋回し、正極板１０８および負極板１０９を押さえ、搬送中の位置ズレの防止を行」うものであって、サポート部材１１６が待機位置に旋回するタイミングが不明である。
チ　これに対して、本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わ」ることにより、「シートを積層するサイクルタイムを低減」（【０００８】）という効果を奏するものである。
ツ　したがって、上記Ｄの相違点は、実質的な相違点であるといえる。
テ　そして、甲２発明は、正極板、負極板の枚数が増えても対応でき、電極の位置ずれを防ぐもの（甲２の【０００６】〜【０００８】）であって、本件発明１のように「シートを積層するサイクルタイムを低減」（本件明細書の【０００８】）するものではないから、甲２発明において、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るようにする、動機付けが見当たらない。
ト　また、本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るようにすることにより、本件発明の「シートを積層するサイクルタイムを低減」（本件明細書の【０００８】）するという効果を奏するものである。
ナ　そうすると、甲１発明において、上記Ｄの相違点に係る本件発明１の発明特定事項を得ることは、当業者が容易になし得たこととはいえない。
ニ　よって、上記Ｃの相違点について検討するまでもなく、本件発明１は、甲２発明ではないし、甲２発明から、当業者が容易に発明をすることができたものでもない。
（３）−２　本件発明２、３、５、６、８について
ア　本件発明２、３、５、６、８は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を含むものであるから、本件発明２、３、５、６、８と甲２発明とは、少なくとも、上記Ｄの相違点で相違する。
イ　そして、上記Ｄの相違点については、上記（３）−１で検討した理由と同様の理由により、実質的な相違点であるし、上記Ｄの相違点に係る本件発明２、３、５、６、８の発明特定事項を得ることは、当業者が容易になし得たこととはいえない。
ウ　よって、本件発明２、３、５、６、８は、甲２発明ではないし、甲２発明から、当業者が容易に発明をすることができたものでもない。
（３）−３　本件発明９、１０について
ア　本件発明９、１０は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を含むものであるから、本件発明９、１０と甲２方法発明とは、少なくとも、上記Ｄの相違点で相違する。
イ　そして、上記Ｄの相違点については、上記（３）−１で検討した理由と同様の理由により、実質的な相違点であるし、上記Ｄの相違点に係る本件発明９、１０の発明特定事項を得ることは、当業者が容易になし得たこととはいえない。
ウ　よって、本件発明９、１０は、甲２方法発明ではないし、甲２方法発明から、当業者が容易に発明をすることができたものでもない。
（４）甲５に係る出願に対する拡大先願について（上記２の（２）、上記３の（２）のア）
（４）−１　本件発明１について
ア　本件発明１と甲５発明とを対比する。 
イ　甲５発明の「袋詰正極２０」及び「負極３０」はいずれも、本件発明１の「シート」に相当する。 
ウ　甲５発明の「積層部１４０」は、本件発明１の「ステージ」に相当する。 
エ　甲５発明の「第１吸着ハンド１１４」は、「袋詰正極２０を吸着保持し、離脱させ」るものであるから、本件発明１の「積層されるシートを搬送する第１の搬送ハンドラ」に相当する。 
オ　甲５発明の「第２吸着ハンド１１５」は、「負極３０を吸着保持し、離脱させ」るものであるから、本件発明１の「積層されるシートを搬送する第２の搬送ハンドラ」に相当する。 
カ　甲５発明は、「クランパ１４３が、積層部１４０のそれぞれ互いに対向する別々の辺に２つづつ設けられて」いるから、甲５発明の「積層部１４０」の一辺に２つ設けられている「クランパ１４３」は、本件発明１の「第１のクランプ装置」に相当し、甲５発明の「積層部１４０」の該一辺に対向する他辺に２つ設けられている「クランパ１４３」は、本件発明１の「第２のクランプ装置」に相当する。 
キ　甲５発明の「積層部１４０は、積層ロボット１１０により搬送される袋詰正極２０および負極３０を交互に積層する場所であ」る事項は、本件発明１の「複数のシートが積層されて成るシート積層体を載置するステージ」「を有」する事項に相当する。 
ク　甲５発明の「Ｌ字状アーム１１３が９０度揺動することにより、第１吸着ハンド１１４は、正極供給部１２０と積層部１４０との間を往復移動し、」「Ｌ字状アーム１１３が昇降することにより、第１吸着ハンド１１４は、正極供給部１２０または積層部１４０に対して近接離隔」する事項は、本件発明１の「第１の搬送ハンドラ」が、「ステージの上方に位置する待機ポジションと前記待機ポジションから退避した退避ポジションとの間を移動可能、かつ、前記ステージに対して上下に移動可能であ」る事項に相当する。 
ケ　甲５発明の「Ｌ字状アーム１１３が９０度揺動することにより、」「第２吸着ハンド１１５は、積層部１４０と負極供給部１３０との間を往復移動し、Ｌ字状アーム１１３が昇降することにより、」「第２吸着ハンド１１５は、負極供給部１３０または積層部１４０に対して近接離隔」する事項は、本件発明１の「第２の搬送ハンドラ」が、「ステージの上方に位置する待機ポジションと前記待機ポジションから退避した退避ポジションとの間を移動可能、かつ、前記ステージに対して上下に移動可能であ」る事項に相当する。 
コ　甲５発明の「積層ロボット１１０の第１吸着ハンド１１４が袋詰正極２０を吸着保持したとき、または、積層ロボット１１０の第２吸着ハンド１１５が負極３０を吸着保持したときに、第１吸着ハンド１１４または第２吸着ハンド１１５から、袋詰正極２０または負極３０が露出する部位が存在」する事項は、上記（１）の「本件発明の「切り欠き部」の解釈について」の検討結果に照らせば、本件発明１の「第１の搬送ハンドラ」が「周辺部に切り欠き部を有」し、「第２の搬送ハンドラ」が「周辺部に切り欠き部を有する」事項に相当する。 
サ　甲５発明の「クランパ１４３は、袋詰正極２０と負極３０の積層体を上部から押圧するクランプヘッド１４３ａと、クランプヘッド１４３ａを支持する支持軸１４３ｂとから構成され、クランプヘッド１４３ａは、支持軸１４３ｂを介して下方に付勢されており、底面により積層体の最上面を押圧し、クランパ駆動部１４４は、支持軸１４３ｂを介して、クランプヘッド１４３ａを回動させつつ一定の高さまで９０度揺動し、また、動軸１１６回動後のクランプヘッド１４３ａを下降させ、」「クランパ１４３が、積層部１４０のそれぞれ互いに対向する別々の辺に２つづつ設けられて」いる事項は、本件発明１の「ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置」「を有」する事項に相当する。 
シ　甲５発明の「Ｌ字状アーム１１３が昇降することにより、第１吸着ハンド１１４は、正極供給部１２０または積層部１４０に対して近接離隔し、」「積層部１４０に第１吸着ハンド１１４があるときに、第１吸着ハンド１１４はクランパ１４３と平面視で重な」らないものであるから、甲５発明は、本件発明１の「待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重なら」ない事項を含むものである。 
ス　甲１発明は、「クランパ１４３」が「袋詰正極２０と負極３０の積層体を上部から押圧するクランプヘッド１４３ａ」を有し、「積層ロボット１１０の第１吸着ハンド１１４が袋詰正極２０を吸着保持したとき、または、積層ロボット１１０の第２吸着ハンド１１５が負極３０を吸着保持したときに、第１吸着ハンド１１４または第２吸着ハンド１１５から、袋詰正極２０または負極３０が露出する部位が存在し、」「積層部１４０に第１吸着ハンド１１４があるときに、第１吸着ハンド１１４はクランパ１４３と平面視で重なっておらず、積層部１４０に第２吸着ハンド１１５があるときに、第２吸着ハンド１１５はクランパ１４３と平面視で重なっていない」から、甲５発明は、本件発明１の「第１の搬送ハンドラに搬送される前記シートの前記切り欠き部で露出した部分と、前記第１のクランプ装置の前記押圧する部分とが前記ステージの前記シート積層体が積載される面に対する平面視で重なり、前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる」事項を含むものである。 
セ　上記ア〜スより、本件発明１と甲５発明とは、 
「複数のシートが積層されて成るシート積層体を載置するステージと、 
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、 
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、 
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、 
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、 
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、 
　前記第１の搬送ハンドラに搬送される前記シートの前記切り欠き部で露出した部分と、前記第１のクランプ装置の前記押圧する部分とが前記ステージの前記シート積層体が積載される面に対する平面視で重なり、 
　前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる 
シート積層装置。」である点で一致し、下記Ｅ及びＦの相違点で相違する。 
（相違点）
Ｅ　本件発明１は、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され」るのに対し、甲５発明は、そのような特定がない点。
Ｆ　本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るのに対し、甲５発明は、「第１吸着ハンド１１４が下降することにより、積層体の最上部に袋詰正極２０が積層され、このとき、袋詰正極２０の縁部により、クランプヘッド１４３ａが覆われ、続いて、クランプヘッド１４３ａが上昇するとともに９０度回動」するものであって、クランプヘッド１４３ａの上昇中に、第１吸着ハンド１１４が積層体の上部へ移動し始めるものではない点。
ソ　まず、事案に鑑み、上記Ｆの相違点について検討する。
タ　甲５発明は、「第１吸着ハンド１１４が下降することにより、積層体の最上部に袋詰正極２０が積層され、このとき、袋詰正極２０の縁部により、クランプヘッド１４３ａが覆われ、続いて、クランプヘッド１４３ａが上昇するとともに９０度回動」するものであって、第１吸着ハンド１１４が積層体の最上部に袋詰正極２０が積層した後に、クランプヘッド１４３ａが上昇するものである。
チ　これに対して、本件発明１は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わ」ることにより、「シートを積層するサイクルタイムを低減」（【０００８】）という効果を奏するものである。
ツ　したがって、上記Ｆの相違点は、実質的な相違点であるといえる。
テ　よって、上記Ｅの相違点について、検討するまでもなく、本件発明１は甲５発明と同一であるとはいえない。
（４）−２　本件発明２、３、５、６、８について
ア　本件発明２、３、５、６、８は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を含むものであるから、本件発明２、３、５、６、８と甲５発明とは、少なくとも、上記Ｆの相違点で相違する。
イ　そして、上記Ｆの相違点については、上記（４）−１で検討した理由と同様の理由により、実質的な相違点であるから、本件発明２、３、５、６、８は甲５発明と同一であるとはいえない。
（４）−３　本件発明９、１０について
ア　本件発明９、１０は、「第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」る事項を含むものであるから、本件発明９、１０と甲５方法発明とは、少なくとも、上記Ｆの相違点で相違する。
イ　そして、上記Ｆの相違点については、上記（４）−１で検討した理由と同様の理由により、実質的な相違点であるから、本件発明９、１０は甲５方法発明と同一であるとはいえない。
（５）甲６に係る出願に対する拡大先願について（上記３の（２）のイ）
（５）−１　本件発明１について
ア　本件発明１と甲６発明とを対比する。
イ　甲６発明は、「吸着手段１６は、第１吸着部２１と第２吸着部２２とを備えており、第１吸着部２１は、シート体よりも小さい矩形状をなしており、当該第１吸着部２１の外周側に位置するようにして平面視ロ字状をなす第２吸着部２２が上下方向に相対移動可能に設けられており、」「第２吸着部２２の外形が、シート体（電極箔６）の外形と同等に設定されており、積層に際しては先ず、電極箔供給ステージ１２上にある負極箔１が吸着手段１６に吸着させられ、吸着手段１６により負極箔１が吸着させられた状態で、今度は積層ステージ１３上へと案内され、該積層ステージ１３上の所定の積層位置へと載置させられ」るものであって、吸着手段１６は一つのシート体（電極箔６）を吸着するものである。
ウ　そうすると、甲６発明の「第１吸着部２１と第２吸着部２２とを備え」た「吸着手段１６」が、本件発明１の「第１の搬送ハンドラ」または「第２の搬送ハンドラ」に相当する。
エ　したがって、本件発明１と甲６発明とは、少なくとも、前者が、「積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、」「積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、」「を有」するのに対し、後者は、「第１吸着部２１と第２吸着部２２とを備えており、第１吸着部２１は、シート体よりも小さい矩形状をなしており、当該第１吸着部２１の外周側に位置するようにして平面視ロ字状をなす第２吸着部２２が上下方向に相対移動可能に設けられており、吸着手段１６が積層ステージ１３の上方の所定の積層位置にあるとき、第１吸着部２１は押さえ爪１８と干渉しないようになっており、第２吸着部２２は、押さえ爪１８と干渉する（平面視において重なり合う）ように構成されており、第２吸着部２２の外形が、シート体（電極箔６）の外形と同等に設定されて」いる「吸着手段１６」を有するものであって、吸着手段１６が２つない点で相違する。
オ　以下、上記エの相違点について検討するに、本件発明１は、シートを搬送する搬送ハンドラが「第１の搬送ハンドラ」と「第２の搬送ハンドラ」との２つを有するものであって、甲６発明のように、シート体を搬送する手段が「吸着手段１６」１つしかないものとは異なるから、上記エの相違点は、実質的な相違点であるといえる。
カ　よって、本件発明１は甲６発明と同一であるとはいえない。
（５）−２　本件発明２、３、５、６、８について
ア　本件発明２、３、５、６、８は、「積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、」「積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、」「を有」する事項を含むものであるから、本件発明２、３、５、６、８と甲６発明とは、少なくとも、上記（５）−１のエの相違点で相違する。
イ　そして、上記（５）−１のエの相違点については、上記（５）−１で検討した理由と同様の理由により、実質的な相違点であるから、本件発明２、３、５、６、８は甲６発明と同一であるとはいえない。
（５）−３　本件発明９、１０について
ア　本件発明９、１０は、「積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、」「積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、」「を有」する事項を含むものであるから、本件発明９、１０と甲６方法発明とは、少なくとも、上記（５）−１のエの相違点で相違する。
イ　そして、上記（５）−１のエの相違点については、上記（５）−１で検討した理由と同様の理由により、実質的な相違点であるから、本件発明９、１０は甲６方法発明と同一であるとはいえない。
（６）サポート要件違反について（上記２の（３））
ア　本件明細書の記載によれば、本件発明の解決しようとする課題は、「シート積層体上に第１のシートを積層する際、」「一対のクランプ装置は、シート積層体の上に新たに置かれる」「シートを保持するため、ステージに対して上昇する」が、「搬送ハンドラが第１のシートをステージの上方へ搬送する前に一対のクランプ装置が上昇すると、搬送ハンドラの移動が妨げられるという問題が生じ得る」ので、「通常、一対のクランプ装置は、搬送ハンドラがステージの上方へシートを搬送し終えた後に上昇すると考えられ」（【０００６】）、そのために、「シートを積層するサイクルタイムが増大する」（【０００７】）ところ、「シートを積層するサイクルタイムを低減できるシート積層装置およびシート積層方法を提供すること」（【０００８】）であると認められる。 
イ　一方、上記アの課題を解決する手段について、本件明細書には、「第１の搬送ハンドラ４が待機ポジションに到達するまでに、第１のクランプ装置８は既に第１の上方ポジションに移動し終えた状態にある。そのため、第１の搬送ハンドラ４は、待機ポジションに到達後速やかに下降動作を開始することができる。これにより、シート積層方法のサイクルタイムを低減することができる」（【００３７】）、「第２の搬送ハンドラ１１が待機ポジションに到達するまでに、第２のクランプ装置９は既に第２の上方ポジションに移動し終えた状態にある。そのため、第２の搬送ハンドラ１１は、待機ポジションに到達後速やかに下降動作を開始することができる。これにより、シート積層方法のサイクルタイムを低減することができる」（【００４６】）、「対角に位置する２つのクランプ装置を同時に駆動する比較例におけるシート積層方法について説明する。対角に位置する２つのクランプ装置８、９を同時に上昇させると、搬送ハンドラ４、１１の待機ポジションを挟んで両側にクランプ装置８、９が位置することになる。したがって、一方のクランプ装置８または９が搬送ハンドラ４、１１の進路上に位置するため、搬送ハンドラ４、１１の移動を妨げることになる。そのため、図５（Ｄ）および図６（Ｄ）に示されるような待機ポジションまで搬送ハンドラ４、１１を移動させた後に、対角に位置するクランプ装置８、９を上昇させる必要がある。その結果、搬送ハンドラ４、１１が待機ポジションに到着した後、クランプ装置８、９の上昇移動が終了するまでの間、搬送ハンドラ４、１１は下降動作をすることができない。この時間的ギャップにより、図５および図６に示すシート積層方法よりもサイクルタイムが長くなってしまう。・・・（略）・・・これに対し、本発明の本実施形態によれば、第１のクランプ装置８は第１の搬送ハンドラ４の移動を妨げず、第２のクランプ装置９は第２の搬送ハンドラ１１の移動を妨げない。搬送ハンドラ４、１１を待機ポジションへ移動させた後に、対角に位置するクランプ装置８、９を上昇させる、というような動作上の制約も受けない。これにより、シートを積層するサイクルタイムを低減するシート積層装置およびシート積層方法を提供できる」（【００５３】）と記載されている。 
ウ　ここで、上記イの記載によれば、「クランプ装置８または９が搬送ハンドラ４、１１の進路上に位置するため、搬送ハンドラ４、１１の移動を妨げることになる」ことにより、上記アの課題が生じることとなるから、本件発明において、上方ポジションに移動したクランプ装置が、搬送ハンドラの待避ポジションから待機ポジションへの移動の進路上に位置しなければ、上記アの課題が生じることはなく、上記アの課題を解決し得るとはいえない。 
エ　また、上記アの課題を解決し得るためには、上記イの記載によれば、搬送ハンドラが待避ポジションから待機ポジションに到達するまでに、クランプ装置は既に上方ポジションに移動し終えた状態にあることが必要である。
オ　そして、本件訂正により、本件発明１〜３、５、６、８〜１０には、「第１の上方ポジションに位置する前記第１のクランプ装置は、前記第２の搬送ハンドラが前記退避ポジションから前記待機ポジションへ移動する進路上に配置され、前記第２の上方ポジションに位置する前記第２のクランプ装置は、前記第１の搬送ハンドラが前記退避ポジションから前記待機ポジションへ移動する進路上に配置され、前記第１の搬送ハンドラは、前記第１のクランプ装置の上昇中に、前記退避ポジションから前記待機ポジションに向けて移動し始め、前記第１のクランプ装置は、前記第１の搬送ハンドラが前記待機ポジションに移動し終わる前に、前記第１の上方ポジションに移動し終わり、前記第２の搬送ハンドラは、前記第２のクランプ装置の上昇中に、前記退避ポジションから前記待機ポジションに向けて移動し始め、前記第２のクランプ装置は、前記第２の搬送ハンドラが前記待機ポジションに移動し終わる前に、前記第２の上方ポジションに移動し終わ」るとの発明特定事項が特定されたから、本件発明１〜３、５、６、８〜１０は、上記アの課題を解決し得るものとなった。
カ　したがって、本件発明１〜３、５、６、８〜１０は、発明の詳細な説明に記載されたものである。
（７）明確性違反について（上記２の（４）のア〜エ、上記３の（４））
ア　上記２の（４）のア〜ウについて
　本件訂正により、本件訂正前の請求項４、７は削除されたから、上記２のア〜ウについての取消理由は解消された。
イ　上記２の（４）のエについて
　本件訂正により、訂正前の「待機ポジションに位置する前記第１の搬送ハンドラに保持された前記シートの露出面と前記第１の辺の一部を押圧する面とが対向する第１の上方ポジション」が、「待機ポジションに位置する前記第１の搬送ハンドラに保持された前記シートの露出面と前記第１の押圧面とが対向する位置関係となる第１の上方ポジション」に、また、訂正前の「待機ポジションに位置する前記第２の搬送ハンドラに保持された前記シートの前記露出面と前記第２の辺の一部を押圧する面とが対向する第２の上方ポジション」が、「待機ポジションに位置する前記第２の搬送ハンドラに保持された前記シートの前記露出面と前記第２の押圧面とが対向する位置関係となる第２の上方ポジション」に、それぞれ訂正された。
　そして、訂正後の「第１の上方ポジション」は、「待機ポジションに位置する前記第１の搬送ハンドラに保持された前記シートの露出面と前記第１の押圧面とが対向する位置関係となる」ものであることが明確となり、訂正後の「第２の上方ポジション」は、「待機ポジションに位置する前記第２の搬送ハンドラに保持された前記シートの前記露出面と前記第２の押圧面とが対向する位置関係となる」ものであることが明確となった。
　よって、本件発明３及びそれを引用する本件発明５、６、８は、明確である。
ウ　上記３の（４）について
　本件発明１、２、９、１０は、「積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、」「を有」するとの発明特定事項を含むものである。
　また、本件発明３は、「積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、前記シートの周辺の上面の一部を露出した状態で前記シートを保持する第１の搬送ハンドラと、積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、前記シートの周辺の上面の一部を露出した状態で前記シートを保持する第２の搬送ハンドラと、」「を有」するとの発明特定事項を含むものである。
　そして、本件発明１〜３、９、１０の「積層されるシートを搬送する第１の搬送ハンドラであって、前記ステージの上方に位置する待機ポジションと前記待機ポジションから退避した退避ポジションとの間を移動可能」との発明特定事項において、「前記待機ポジション」とは、その直前に記載された「待機ポジション」を意味することは明らかである。
　また、本件発明１〜３、９、１０の「積層されるシートを搬送する第２の搬送ハンドラであって、前記ステージの上方に位置する待機ポジションと前記待機ポジションから退避した退避ポジションとの間を移動可能」との発明特定事項において、「前記待機ポジション」とは、その直前に記載された「待機ポジション」を意味することは明らかである。
　したがって、本件発明１〜３、９、１０及びそれらを引用する本件発明５、６、８は明確である。
７　むすび
　以上のとおり、本件の請求項１〜３、５、６、８〜１０に係る特許は、平成３１年４月２４日付けの取消理由通知に記載した取消理由、及び、特許異議申立書に記載された特許異議申立理由によっては、取り消すことはできない。また、他に本件の請求項１〜３、５、６、８〜１０に係る特許を取り消すべき理由を発見しない。
　また、本件の請求項４、７に係る特許は、本件訂正により削除されたから、本件特許の請求項４、７に係る特許に対して、申立人がした特許異議申立については、対象となる請求項が存在しない。
　よって、結論のとおり決定する。
【異議決定日】
令和１年１０月１８日（２０１９．１０．１８）
【訂正の要旨】
審決（決定）の【理由】欄参照。
（５７）【特許請求の範囲】
　【請求項１】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、
　前記第１の搬送ハンドラに搬送される前記シートの前記切り欠き部で露出した部分と、前記第１のクランプ装置の前記押圧する部分とが前記ステージの前記シート積層体が積載される面に対する平面視で重なり、
　前記第２の搬送ハンドラに搬送される前記シートの前記切り欠き部で露出した部分と、前記第２のクランプ装置の前記押圧する部分とが、前記ステージの前記シート積層体が積載される面に対する平面視で重なる
シート積層装置。
　【請求項２】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有し、
　前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならず、
　前記第１の搬送ハンドラが前記退避ポジションから前記待機ポジションへ移動する方向を移動方向と定義したときに、前記第１の搬送ハンドラの前記移動方向の前方方向に位置する少なくとも一つの角に切り欠き部が設けられている
シート積層装置。
　【請求項３】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、前記シートの周辺の
上面の
　積層されるシートを搬送する第２の搬送ハンドラであって、前記ステージの上方に位置する待機ポジションと前記待機ポジションから退避した退避ポジションとの間を移動可能、かつ、前記ステージに対して上下に移動可能であり、前記シートの周辺の
上面の
　
第１の押圧面を備え、
前記第１の押圧面により
前記第１の押圧ポジションの上方であって前記待機ポジションに近接し、
前記第１の押圧面
位置関係となる
　
第２の押圧面を備え、
前記第２の押圧面により
前記第２の押圧ポジションの上方であって前記待機ポジションに近接し、
前記第２の押圧面
位置関係となる
　前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記第１の搬送ハンドラおよび前記第２の搬送ハンドラの少なくとも一方は、周辺部に切り欠き部を有し、前記切り欠き部で前記シートを露出した状態で前記シートを保持し、
　前記第１の搬送ハンドラが前記退避ポジションから前記待機ポジションへ移動する方向を移動方向と定義したときに、前記第１の搬送ハンドラの前記移動方向の前方方向に位置する少なくとも一つの角に前記切り欠き部が設けられている
シート積層装置。
　【請求項４】
（削除）
　【請求項５】
　前記第２のクランプ装置が前記第２の押圧ポジションに位置するときに、前記第１のクランプ装置は、前記第１の押圧ポジションから前記第１の上方ポジションへ移動し、前記第１のクランプ装置が前記第１の押圧ポジションに位置するときに、前記第２のクランプ装置は前記第２の押圧ポジションから前記第２の上方ポジションへ移動する
請求項
１〜３
　【請求項６】
　前記第１のクランプ装置および前記第２のクランプ装置を複数有し、前記第１のクランプ装置および前記第２のクランプ装置の各々は、少なくとも１箇所で前記シート積層体を押圧する
請求項
１〜３、および５
　【請求項７】
（削除）
　【請求項８】
　前記第１の搬送ハンドラが下降した後に、前記第１のクランプ装置が下降し、前記第２の搬送ハンドラが下降した後に、前記第２のクランプ装置が下降する
請求項
１〜３、５、および６
　【請求項９】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、前記シートの周辺の一部を露出した状態で前記シートを保持する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下移動可能であり、前記シートの周辺の一部を露出した状態で前記シートを保持する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションと、の間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションと、の間を移動可能である第２のクランプ装置と、を有するシート積層装置を用いたシート積層体の製造方法であって、
　前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記第１のクランプ装置の前記第１の辺の一部を押圧する面と、前記第１の搬送ハンドラが保持する前記シートの露出面とが、前記第１の搬送ハンドラが前記待機ポジションに位置するときに対向し、
　前記第２のクランプ装置の前記第２の辺の一部を押圧する面と、前記第２の搬送ハンドラが保持する前記シートの露出面とが、前記第２の搬送ハンドラが前記待機ポジションに位置するときに対向する
シート積層体の製造方法。
　【請求項１０】
　複数のシートが積層されて成るシート積層体を載置するステージと、
　積層されるシートを搬送する第１の搬送ハンドラであって、前記ステージの上方に位置する待機ポジションと前記待機ポジションから退避した退避ポジションとの間を移動可能、かつ、前記ステージに対して上下に移動可能であり、周辺部に切り欠き部を有する第１の搬送ハンドラと、
　積層されるシートを搬送する第２の搬送ハンドラであって、前記ステージの上方に位置する待機ポジションと前記待機ポジションから退避した退避ポジションとの間を移動可能、かつ、前記ステージに対して上下移動可能であり、周辺部に切り欠き部を有する第２の搬送ハンドラと、
　前記ステージ上の前記シート積層体を押圧する第１のクランプ装置であって、前記シート積層体の第１の辺の一部を前記ステージに向けて押圧する第１の押圧ポジションと、前記第１の押圧ポジションより上方の第１の上方ポジションとの間を移動可能である第１のクランプ装置と、
　前記ステージ上の前記シート積層体を押圧する第２のクランプ装置であって、前記ステージ上の前記シート積層体の前記第１の辺とは異なる第２の辺の一部を前記ステージに向けて押圧する第２の押圧ポジションと、前記第２の押圧ポジションより上方の第２の上方ポジションとの間を移動可能である第２のクランプ装置と、を有するシート積層装置を用いたシート積層体の製造方法であって、
　前記第１の上方ポジションに位置する前記第１のクランプ装置は、前記第２の搬送ハンドラが前記退避ポジションから前記待機ポジションへ移動する進路上に配置され、
　前記第２の上方ポジションに位置する前記第２のクランプ装置は、前記第１の搬送ハンドラが前記退避ポジションから前記待機ポジションへ移動する進路上に配置され、
　前記第１の搬送ハンドラは、前記第１のクランプ装置の上昇中に、前記退避ポジションから前記待機ポジションに向けて移動し始め、
　前記第１のクランプ装置は、前記第１の搬送ハンドラが前記待機ポジションに移動し終わる前に、前記第１の上方ポジションに移動し終わり、
　前記第２の搬送ハンドラは、前記第２のクランプ装置の上昇中に、前記退避ポジションから前記待機ポジションに向けて移動し始め、
　前記第２のクランプ装置は、前記第２の搬送ハンドラが前記待機ポジションに移動し終わる前に、前記第２の上方ポジションに移動し終わり、
　前記待機ポジションに位置する前記第１の搬送ハンドラと、前記第１の押圧ポジションに位置する第１のクランプ装置の少なくとも前記シート積層体を押圧する部分とは、前記ステージの前記シート積層体が積載される面に対する平面視で重ならない
シート積層体の製造方法。